(57)【要約】  ダウンリンク制御チャネルに関連付けられたダウンリンク・データ・チャネルで送信されるデータに対するＨＡＲＱフィードバックを提供するためのアップリンク制御チャネルリソースを割り当てる方法およびノードを開示する。当該ダウンリンク制御チャネルは、少なくとも１組のダウンリンク制御チャネルリソースを備える。利用可能な時間周波数リソースのサブセットで構成可能である。当該方法は、当該１組のダウンリンク制御チャネルリソースを、当該夫々のダウンリンク制御チャネルリソースへのインデックスを含む少なくとも２つの参照サブセットに分割するステップを含む。また、当該方法は、かかる参照サブセットごとに、一意なアップリンク制御チャネルリソースへのインデックスを含む関連する参照サブセットを定義するステップを含む。さらに、当該方法は、当該参照サブセット内の各要素を当該参照サブセット内のサブフレームおよび要素と関連付けるステップを含む。さらに、当該方法さらに、当該ダウンリンク制御チャネルに関連付けられた当該ダウンリンク・データ・チャネルでデータを送信するステップを含む。
2015536082.tif 000002
【特許請求の範囲】
【請求項１】
少なくとも１組のダウンリンク制御チャネルリソース（４１０）を含み、利用可能な時間周波数リソースのサブセットで構成可能である、ダウンリンク制御チャネルに関連付けられたダウンリンク・データ・チャネルで送信されるデータに対するＨＡＲＱフィードバックを提供するためのアップリンク制御チャネルリソース（４２０）を割り当てるための、無線ネットワーク・ノード（３１０）における方法（５００）であって、
前記１組のダウンリンク制御チャネルリソース（４１０）を、前記夫々のダウンリンク制御チャネルリソース（４１０）へのインデックスを含む少なくとも２つの参照サブセット（Φ０、Φ１、Φ２、Φ３）へと分割するステップ（５０１）と、
前記参照サブセット（Φ０、Φ１、Φ２、Φ３）ごとに、一意なアップリンク制御チャネルリソース（４２０）へのインデックスを含む関連付けられた参照サブセット（Ω０、Ω１、Ω２、Ω３）を定義するステップ（５０２）と、
前記参照サブセット（Ω０、Ω１、Ω２、Ω３）の各要素を前記参照サブセット（Φ０、Φ１、Φ２、Φ３）内のサブフレームおよび要素と関連付けるステップ（５０３）と、
前記ダウンリンク制御チャネルに関連付けられた前記ダウンリンク・データ・チャネルでデータを送信するステップ（５０５）と、
を含む、方法。
【請求項２】
前記要素の関連付け（５０３）は、ダウンリンク制御チャネルリソース（４１０）に対する夫々の参照サブセット（Φ０、Φ１、Φ２、Φ３）において、、最初にダウンリンク制御チャネルリソース（４１０）の数の昇順で実施され、次に、前記サブフレームの数の昇順で実施される、請求項１に記載の方法（５００）。
【請求項３】
前記要素の関連付け（５０３）は、
ｍ＝（Ｍ−ｊ−１）・Ｎｃ＋ｊ・ＮＣ＋１＋ｎ
とすることで実施され、
ｍはアップリンク・リソースのインデックスであり、
Ｍはダウンリンク・サブフレームの数であり、
Ｎは時間周波数リソースの数であり、
ｊはサブフレームのインデックス番号であり、
ｎはダウンリンク・リソースのインデックスであり、
ＮＣ＝Ｋ・ｃ
であり、ｃは、Ｎｃ≦ｎ＜Ｎｃ＋１かつＫ＞０となるように選択された非負の整数である、
請求項２に記載の方法（５００）。
【請求項４】
前記要素の関連付け（５０３）は、
ｍ＝ｎ＋Ｎ・ｊ
とすることで実施され、
ｍはアップリンク・リソースのインデックスであり、
ｎはダウンリンク・リソースのインデックスであり、
Ｎは時間周波数リソースの数であり、
ｊはサブフレームのインデックス番号である、
請求項２に記載の方法（５００）。
【請求項５】
前記要素の関連付け（５０３）は、
【数１】
2015536082.tif 000025
とすることで実施され、
ｍはアップリンク・リソースのインデックスであり、
ｎはダウンリンク・リソースのインデックスであり、
ｊはサブフレームのインデックス番号であり、
Ｎｋはサブフレームｋの中のアップリンク制御チャネルリソースの数である、
請求項２に記載の方法（５００）。
【請求項６】
前記要素の関連付け（５０３）は、ダウンリンク制御チャネルリソース（４１０）の夫々のサブセット（Φ０、Φ１、Φ２、Φ３）において、最初に前記サブフレームの数の昇順で実施され、次にダウンリンク制御チャネルリソース（４１０）の数の昇順で実施される、請求項１に記載の方法（５００）。
【請求項７】
前記要素の関連付け（５０３）は、
ｍ＝Ｍ・ｎ＋ｊ
とすることで実施され、
ｍはアップリンク・リソースのインデックスであり、
Ｍはダウンリンク・サブフレームの数であり、
ｎはダウンリンク・リソースのインデックスであり、
ｊはサブフレームのインデックス番号である、
請求項６に記載の方法（５００）。
【請求項８】
ダウンリンク・データ・チャネルで送信されたデータに対するＨＡＲＱフィードバックを提供するための前記アップリンク制御チャネルリソース（４２０）は、利用可能な時間周波数リソースのサブセットで構成可能な２組のダウンリンク制御チャネルリソース（４１０）に関連付けられ、当該方法（５００）は前記要素の関連付け（５０３）を前記２組のダウンリンク制御チャネルリソース（４１０）の間で交互に行うステップをさらに含む、請求項１に記載の方法（５００）。
【請求項９】
前記参照サブセット（Ω０、Ω１、Ω２、Ω３）の要素を前記関連付け（５０３）に少なくとも従って配置するステップ（５０４）をさらに含む、請求項１に記載の方法（５００）。
【請求項１０】
前記ダウンリンク制御チャネルリソース（４１０）はさらに、受信器固有の参照信号の送信に利用される、請求項１に記載の方法（５００）。
【請求項１１】
前記ダウンリンク制御チャネルは、一意なアップリンク・チャネルリソース（４２０）の各組（Ω０、Ω１、Ω２、Ω３）における各要素の、前記１組のダウンリンク制御チャネルリソース（４１０）内のサブフレームおよび１つの要素との前記関連付け（５０３）を示すためのリソース識別子を含む、請求項１に記載の方法（５００）。
【請求項１２】
前記ダウンリンク制御チャネルはリソース識別子を含み、前記リソース識別子の少なくとも１つの値は、一意なアップリンク・チャネルリソース（４２０）の各組（Ω０、Ω１、Ω２、Ω３）における各要素の、前記１組のダウンリンク制御チャネルリソース（４１０）内のサブフレームおよび１つの要素との前記関連付け（５０３）を示すために使用される、請求項１に記載の方法（５００）。
【請求項１３】
前記所与のアップリンク・サブフレームに関連付けられた、前記サブフレームのインデックス番号ｊおよび／またはダウンリンク・サブフレームの数Ｍに依存するリソース識別子値を使用するステップを含む、請求項１２に記載の方法（５００）。
【請求項１４】
少なくとも１つのリソース識別子値ｒ（ｊ）は、少なくとも１つのｊに対して、
【数２】
2015536082.tif 000026
であり、
ｊは、前記リソース識別子を含む前記ダウンリンク制御チャネルの前記サブフレームのインデックス番号であり、Ｎｋはサブフレームｋの中のアップリンク制御チャネルリソースの数である、
請求項１３に記載の方法（５００）。
【請求項１５】
少なくとも１つのリソース識別子値ｒ（ｐ）は、
【数３】
2015536082.tif 000027
であり、
ｐ∈｛１、２、．．．、Ｍ｝であり、Ｍは、前記アップリンク・サブフレームに関連付けられたダウンリンク・サブフレームの数であり、Ｎｋはサブフレームｋの中のアップリンク制御チャネルリソースの数である、
請求項１３に記載の方法（５００）。
【請求項１６】
前記ダウンリンク制御チャネルは、一意なアップリンク・チャネルリソース（４２０）の各組（Ω０、Ω１、Ω２、Ω３）における各要素の、前記１組のダウンリンク制御チャネルリソース（４１０）の中の１つの要素との前記関連付け（５０３）を示すためのリソース識別子を含み、前記リソース識別子値の少なくとも１つは負である、請求項１に記載の方法（５００）。
【請求項１７】
前記少なくとも１つの負のリソース識別子値の少なくとも１つは、前記値Ｎｋの１つまたは幾つかの線形結合として得られ、Ｎｋはサブフレームｋの中のアップリンク制御チャネルリソースの数である、請求項１６に記載の方法（５００）。
【請求項１８】
前記夫々のダウンリンク制御チャネルリソース（４１０）へのインデックスを含む少なくとも２つの参照サブセット（Φ０、Φ１、Φ２、Φ３）は、
連続的なインデックス、
均等なサイズのサブセット（Φ０、Φ１、Φ２、Φ３）、
のうち何れか、幾つか、または全部を含み、
昇順のインデックスを含み、および／または
降順のインデックスを含む、
請求項１に記載の方法（５００）。
【請求項１９】
前記それぞれのアップリンク制御チャネルリソース（４２０）に対するインデックスを含む前記２つの参照サブセット（Ω０、Ω１、Ω２、Ω３）は、
連続的なインデックス、
均等なサイズのサブセット（Ω０、Ω１、Ω２、Ω３）、
インデックスの昇順、および／または
インデックスの降順
のうち何れか、幾つか、または全部を含む、請求項１に記載の方法（５００）。
【請求項２０】
少なくとも１つのサブセット（Φ０、Φ１、Φ２、Φ３）が１つまたは複数のＰＲＢペアに対応するように、前記利用可能な時間周波数リソースは、前記参照サブセット（Φ０、Φ１、Φ２、Φ３）に対してマップされた物理リソース・ブロックＰＲＢペアに分割される、請求項１に記載の方法（５００）。
【請求項２１】
前記ダウンリンク・データ・チャネルで送信された（５０５）前記データに関する前記１組のダウンリンク制御チャネルリソース（４１０）に関連付けられた（５０３）前記一意なアップリンク制御チャネルリソース（４２０）で前記送信された（５０５）データに関連するＨＡＲＱフィードバックを前記受信器（４２０）から受信するステップ（５０６）をさらに含む、請求項１に記載の方法（５００）。
【請求項２２】
前記無線ネットワーク・ノード（３１０）はロング・ターム・エボリューションＬＴＥにおける発展型ＮｏｄｅＢを含み、システム、前記受信器（３２０）はユーザ機器ＵＥを含み、前記ダウンリンク制御チャネルは発展型物理ダウンリンク制御チャネルＥＰＤＣＣＨを含み、前記ダウンリンク・データ・チャネルは物理ダウンリンク共有チャネルＰＤＳＣＨを含み、前記１組のダウンリンク制御チャネルリソース（４１０）は、発展型制御チャネル要素ＥＣＣＥおよび／または発展型リソース要素グループＥＲＥＧを含むＥＰＤＣＣＨ集合に対応し、利用可能な時間周波数リソースの前記サブセットはＰＲＢペアを含む、請求項１に記載の方法（５００）。
【請求項２３】
当該方法（５００）は時間分割多重ＴＤＤに基づいてシステムで実施される、請求項１に記載の方法（５００）。
【請求項２４】
少なくとも１組のダウンリンク制御チャネルリソース（４１０）を含み、利用可能な時間周波数リソースのサブセットで構成可能である、ダウンリンク制御チャネルに関連付けられたダウンリンク・データ・チャネルで送信されるデータに対するＨＡＲＱフィードバックを提供するためのアップリンク制御チャネルリソース（４２０）を割り当てるための無線ネットワーク・ノード（３１０）であって、
前記１組のダウンリンク制御チャネルリソース（４１０）を、前記夫々のダウンリンク制御チャネルリソース（４１０）へのインデックスを含む少なくとも２つの参照サブセット（Φ０、Φ１、Φ２、Φ３）に分割するように構成され、前記参照サブセット（Φ０、Φ１、Φ２、Φ３）ごとに、一意なアップリンク制御チャネルリソース（４２０）へのインデックスを含む関連付けられた参照サブセット（Ω０、Ω１、Ω２、Ω３）を定義するように構成され、さらに、前記参照サブセット（Ω０、Ω１、Ω２、Ω３）の各要素を、前記夫々のダウンリンク制御チャネルリソース（４１０）へのインデックスを含む前記参照サブセット（Φ０、Φ１、Φ２、Φ３）内のサブフレームと要素に関連付けるように構成された処理回路（６２０）と、
前記ダウンリンク制御チャネルに関連付けられた前記ダウンリンク・データ・チャネルでデータを送信するように構成された送信ユニット（６３０）と、
を備える、無線ネットワーク・ノード（３１０）。
【請求項２５】
前記処理回路（６２０）はさらに、ダウンリンク制御チャネルリソース（４１０）に対する夫々の参照サブセット（Φ０、Φ１、Φ２、Φ３）において、最初にダウンリンク制御チャネルリソース（４１０）の数の昇順で、次に、前記サブフレームの数の昇順で前記要素の関連付けを実施するように構成される、請求項２４に記載の無線ネットワーク・ノード（３１０）。
【請求項２６】
前記処理回路（６２０）はさらに、
ｍ＝（Ｍ−ｊ−１）・Ｎｃ＋ｊ・ＮＣ＋１＋ｎ
とすることで前記要素の関連付けを実施するように構成され、
ｍはアップリンク・リソースのインデックスであり、
Ｍはダウンリンク・サブフレームの数であり、
Ｎは時間周波数リソースの数であり、
ｊはサブフレームのインデックス番号であり、
ｎはダウンリンク・リソースのインデックスであり、
ＮＣ＝Ｋ・ｃ
であり、
ｃは、Ｎｃ≦ｎ＜Ｎｃ＋１かつＫ＞０となるように選択された非負の整数である、
請求項２５に記載の無線ネットワーク・ノード（３１０）。
【請求項２０】
前記処理回路（６２０）はさらに、
ｍ＝ｎ＋Ｎ・ｊ
とすることで前記要素の関連付けを実施するように構成され、
ｍはアップリンク・リソースのインデックスであり、
ｎはダウンリンク・リソースのインデックスであり、
Ｎは時間周波数リソースの数であり、
ｊはサブフレームのインデックス番号である、
請求項１８に記載の無線ネットワーク・ノード（３１０）。
【請求項２７】
前記処理回路（６２０）はさらに、ダウンリンク制御チャネルリソース（４１０）の夫々のサブセット（Φ０、Φ１、Φ２、Φ３）において、前記要素の関連付けを、最初に前記サブフレームの数の昇順で実施し、次に、ダウンリンク制御チャネルリソース（４１０）の数の昇順で実施するように構成される、請求項２４に記載の無線ネットワーク・ノード（３１０）。
【請求項２８】
前記処理回路（６２０）はさらに、
ｍ＝Ｍ・ｎ＋ｊ
とすることで前記要素の関連付けを実施するように構成され、
ｍはアップリンク・リソースのインデックスであり、
Ｍはダウンリンク・サブフレームの数であり、
ｎはダウンリンク・リソースのインデックスであり、
ｊはサブフレームのインデックス番号である、
請求項２７に記載の無線ネットワーク・ノード（３１０）。
【請求項２９】
ダウンリンク・データ・チャネルで送信されるデータに対するＨＡＲＱフィードバックを提供するための前記アップリンク制御チャネルリソース（４２０）は、利用可能な時間周波数リソースのサブセットで構成可能な２組のダウンリンク制御チャネルリソース（４１０）に関連付けられ、前記処理回路（６２０）はさらに、前記２組のダウンリンク制御チャネルリソース（４１０）の間で前記要素の関連付けを交互に行うように構成される、請求項２４に記載の無線ネットワーク・ノード（３１０）。
【請求項３０】
前記処理回路（６２０）はさらに、前記関連付け（５０３）に少なくとも従って前記参照サブセット（Ω０、Ω１、Ω２、Ω３）の要素を配置するように構成される、請求項２４に記載の無線ネットワーク・ノード（３１０）。
【請求項３１】
前記ダウンリンク制御チャネルリソース（４１０）はさらに、受信器固有の参照信号の送信に利用される、請求項２４に記載の無線ネットワーク・ノード（３１０）。
【請求項３２】
前記ダウンリンク制御チャネルは、前記関連付けｏｆ一意なアップリンク・チャネルリソース（４２０）の各組（Ω０、Ω１、Ω２、Ω３）の中の各要素の、前記１組のダウンリンク制御チャネルリソース（４１０）内のサブフレームと１つの要素との関連付けを示すためのリソース識別子を含む、請求項２４に記載の無線ネットワーク・ノード（３１０）。
【請求項３３】
前記夫々のダウンリンク制御チャネルリソース（４１０）へのインデックスを含む少なくとも２つの参照サブセット（Φ０、Φ１、Φ２、Φ３）は、
連続的なインデックス、
均等なサイズのサブセット（Φ０、Φ１、Φ２、Φ３）、
インデックスの昇順、および／または
インデックスの降順
のうち何れか、幾つか、または全部を含む、請求項２４に記載の無線ネットワーク・ノード（３１０）。
【請求項３４】
前記それぞれのアップリンク制御チャネルリソース（４２０）に対するインデックスを含む前記２つの参照サブセット（Ω０、Ω１、Ω２、Ω３）は、
連続的なインデックス、
均等なサイズのサブセット（Ω０、Ω１、Ω２、Ω３）、
インデックスの昇順、および／または
インデックスの降順
のうち何れか、幾つか、または全部を含む、請求項２４に記載の無線ネットワーク・ノード（３１０）。
【請求項３５】
少なくとも１つのサブセット（Φ０、Φ１、Φ２、Φ３）は１つまたは複数のＰＲＢペアに対応するように、前記利用可能な時間周波数リソースは、前記参照サブセット（Φ０、Φ１、Φ２、Φ３）に対してマップされた物理リソース・ブロックＰＲＢペアに分割される、請求項２４に記載の無線ネットワーク・ノード（３１０）。
【請求項３６】
前記処理回路（６２０）はさらに、前記ダウンリンク・データ・チャネルで送信された前記データに関する前記１組のダウンリンク制御チャネルリソース（４１０）に関連付けられた前記一意なアップリンク制御チャネルリソース（４２０）で送信されたデータに関連するＨＡＲＱフィードバックを前記受信器（４２０）を受信するように構成される、請求項２４に記載の無線ネットワーク・ノード（３１０）。
【請求項３７】
前記無線ネットワーク・ノード（３１０）はロング・ターム・エボリューションＬＴＥシステムにおける発展型ＮｏｄｅＢを含み、、前記受信器（３２０）はユーザ機器ＵＥを含み、前記ダウンリンク制御チャネルは発展型物理ダウンリンク制御チャネルＥＰＤＣＣＨを含み、前記ダウンリンク・データ・チャネルは物理ダウンリンク共有チャネルＰＤＳＣＨを含み、前記１組のダウンリンク制御チャネルリソース（４１０）は、発展型制御チャネル要素ＥＣＣＥおよび／または発展型リソース要素グループＥＲＥＧを含むＥＰＤＣＣＨ集合に対応し、利用可能な時間周波数リソースの前記サブセットはＰＲＢペアを含む、請求項２４に記載の無線ネットワーク・ノード（３１０）。
【請求項３８】
前記無線ネットワーク・ノード（３１０）は時間分割多重ＴＤＤに基づいてシステムにおいて実施されるように構成される、請求項２４に記載の無線ネットワーク・ノード（３１０）。
【請求項３９】
少なくとも１組のダウンリンク制御チャネルリソース（４１０）を含み、利用可能な時間周波数リソースのサブセットで構成可能である、ダウンリンク制御チャネルに関連付けられたダウンリンク・データ・チャネルで送信されるデータに対するＨＡＲＱフィードバックを提供するための受信器（３２０）内の方法（７００）であって、
前記ダウンリンク制御チャネルに関連付けられた前記ダウンリンク・データ・チャネルのサブフレーム上のデータ、および、一意なアップリンク制御チャネルリソース（４２０）に対する関連付けられた参照サブセット（Ω０、Ω１、Ω２、Ω３）を、無線ネットワーク・ノード（３１０）から受信するステップ（７０１）と、
前記受信サブフレームごとに、前記データが正しく受信されたかどうかを判定するステップ（７０２）と、
前記受信した（７０１）参照サブセット（Ω０、Ω１、Ω２、Ω３）に従って、正しく受信されたデータ・サブフレームごとの肯定応答ＡＣＫと、前記アップリンク制御チャネルリソース（４２０）で不正確に受信されたデータのサブフレームごとの否定応答ＮＡＣＫを含むＨＡＲＱフィードバックをエンコードするステップ（７０３）と、
前記無線ネットワーク・ノード（３１０）により受信される前記エンコードされた（７０３）ＨＡＲＱフィードバックを送信するステップ（７０４）と、
を含む、方法。
【請求項４０】
少なくとも１組のダウンリンク制御チャネルリソース（４１０）を含み、利用可能な時間周波数リソースのサブセットで構成可能である、ダウンリンク制御チャネルに関連付けられたダウンリンク・データ・チャネルで送信されるデータに対するＨＡＲＱフィードバックを提供するように構成された受信器（３２０）であって、
前記ダウンリンク制御チャネルに関連付けられた前記ダウンリンク・データ・チャネルのサブフレーム上のデータ、および、一意なアップリンク制御チャネルリソース（４２０）に対する関連付けられた参照サブセット（Ω０、Ω１、Ω２、Ω３）を、無線ネットワーク・ノード（３１０）から受信するように構成された受信ユニット（８１０）と、
前記受信サブフレームごとに、前記データが正しく受信されたかどうかを判定するように構成され、前記受信された参照サブセット（Ω０、Ω１、Ω２、Ω３）に従って、正しく受信されたデータ・サブフレームごとの肯定応答ＡＣＫと、不正確に受信された前記アップリンク制御チャネルリソース（４２０）上のデータ・サブフレームごとの否定応答ＮＡＣＫとを含むＨＡＲＱフィードバックをエンコードするように構成された、処理回路（８２０）と、
前記無線ネットワーク・ノード（３１０）により受信される前記エンコードされたＨＡＲＱフィードバックを送信するように構成された送信ユニット（８３０）と、
を備える、受信器（３２０）。
【発明の詳細な説明】
【技術分野】
【０００１】
本発明は一般に、無線ネットワーク・ノード、無線ネットワーク・ノードにおける方法、受信器および受信器における方法に関する。特に、本明細書では、送信データに対するフィードバックを提供するためのアップリンク制御チャネルリソースを割り当てるための機構を説明する。
【背景技術】
【０００２】
ユーザ機器（ＵＥ）、移動局、無線端末および／または移動端末としても知られる受信器は、無線通信システムと無線で通信することができ、場合によってはセルラ無線システムとも呼ばれる。当該通信は、例えば、２つの受信器の間、受信器と有線接続された電話の間、および／または無線アクセス・ネットワーク（ＲＡＮ）と場合によっては１つまたは複数のコアネットワークを介した受信器とサーバの間で、行われうる。
【０００３】
当該受信器はさらに、携帯電話、セルラ電話、無線機能を有するコンピュータ・タブレットまたはラップトップと呼ばれることもある。この状況での受信器は、例えば、無線アクセス・ネットワークを介して別の受信器またはサーバのような別のエンティティと音声および／またはデータを通信できる、ポータブルな、ポケットに収納可能な、ハンドヘルドの、コンピュータを備えた、または車載の、モバイル装置であってもよい。
【０００４】
当該無線通信システムは、セル領域に分割される地理的領域をカバーする。各セル領域は、無線ネットワーク・ノードまたは基地局、例えば、無線基地局（ＲＢＳ）によりサービスされる。基地局は、幾つかのネットワークでは、使用する技術や用語に応じて、送信器、「ｅＮＢ」、「ｅＮｏｄｅＢ」、「ＮｏｄｅＢ」または「Ｂノード」と呼ばれることもある。当該無線ネットワーク・ノードが、送信電力およびセルのサイズに基づいて、例えばマクロｅＮｏｄｅＢ、ホームｅＮｏｄｅＢまたはピコ基地局のような様々なクラスであってもよい。無線カバレージが無線ネットワーク・ノード／基地局により基地局サイトで提供される地理的領域はセルと呼ばれることもある。セルは、一般に無線信号を送信する論理的な概念をいい、何ら物理的意味をもたない。基地局サイトに存在する１つの無線ネットワーク・ノードが、１つのまたは幾つかのセルにサービスを提供することができる。当該無線ネットワーク・ノードは、無線周波数で動作するエア・インタフェース上で、それぞれの無線ネットワーク・ノードの範囲内で、受信器と通信する。
【０００５】
幾つかの無線アクセス・ネットワークでは、幾つかの無線ネットワーク・ノードを例えば有線またはマイクロ波により、例えばユニバーサル移動体通信システム（ＵＭＴＳ）の無線ネットワーク・コントローラ（ＲＮＣ）に接続することができる。ＲＮＣは、場合によっては例えばＧＳＭ（登録商標）の基地局コントローラとも呼ばれ、それに接続された複数の無線ネットワーク・ノードの様々な活動を監視し調整することができる。ＧＳＭ（登録商標）は、グローバル移動通信システム（元は：Ｇｒｏｕｐｅ  Ｓｐｅｃｉａｌ  Ｍｏｂｉｌｅ）の省略形である。
【０００６】
第三世代パートナシップ・プロジェクト（３ＧＰＰ）のロング・ターム・エボリューション（ＬＴＥ）では、無線ネットワーク・ノードは、ｅＮｏｄｅＢまたはｅＮＢと呼ばれることがあり、ゲートウェイ、例えば無線アクセスゲートウェイに接続され、１つまたは複数のコアネットワークに接続されうる。
【０００７】
この状況では、ダウンリンク、下流リンクまたは前方リンクという表現は、無線ネットワーク・ノードから受信器への送信経路に使用されうる。アップリンク、上流リンクまたは後方リンクという表現を、反対方向、即ち、受信器から無線ネットワーク・ノードへの送信経路に使用してもよい。
【０００８】
例えば進化型ユニバーサル地上無線アクセス（Ｅ−ＵＴＲＡ）および／または進化型ＵＭＴＳ地上無線アクセス・ネットワーク（Ｅ−ＵＴＲＡＮ）のような３ＧＰＰ  ＬＴＥのような現代の無線システムでは、パケット・ベースの送信を利用している。データ・パケットを受信すると、受信器（３ＧＰＰ用語ではＵＥ）は、ハイブリッド自動再送要求（ＨＡＲＱ）メッセージを当該無線ネットワーク・ノード（３ＧＰＰ用語ではｅＮｏｄｅＢ）に送信する。これらのメッセージは、例えば肯定応答（ＡＣＫ）または否定応答（ＮＡＣＫ）を含むことがある。ＨＡＲＱフィードバックを得ると、新たなパケット送信またはパケット再送を続いて送信器により開始することができる。ＨＡＲＱフィードバックの送信ではアップリンク送信リソースを必要とし、ユーザ・データを送信するのに未使用のアップリンク・リソースを利用できるので、ＨＡＲＱフィードバックに割り当てられる時間周波数リソースの量を最小化することが基本である。別の課題は、ダウンリンクにおいて大量のシグナリングをもたらすことなくアップリンクのＨＡＲＱリソースを受信器に割り当てることであり、一般に、送信される実際のデータ・パケットがありＨＡＲＱフィードバックが期待されるときにのみアップリンク・リソースを割り当ててもよい。１組のアップリンク・リソースの割当てでも、衝突するアップリンク・リソースが衝突しないことを保証すしなければならない。即ち、各受信器／ＵＥには、ＨＡＲＱに対して１組の一意なアップリンク・リソースを割り当てなければならない。
【０００９】
前方通信チャネルと後方通信チャネルを同一の物理通信媒体で分割するために、無線通信システムで通信するとき、周波数多重分割（ＦＤＤ）および／または時分割多重（ＴＤＤ）のような多重化方法が適用されることがある。ＦＤＤのアプローチは、アップリンク送信とダウンリンク送信の間の干渉を回避するために、良く分離された周波数帯で使用される。ＴＤＤでは、アップリンク・トラフィックとダウンリンク・トラフィックは同一の周波数帯および異なる時間間隔で送信される。アップリンク・トラフィックとダウンリンク・トラフィックはしたがって、ＴＤＤ送信の時間の次元において、場合によってはアップリンク送信とダウンリンク送信の間にガード・ピリオド（ＧＰ）を伴って、互いから分離されて送信される。アップリンクとダウンリンクの間の干渉を回避するために、同一の領域における無線ネットワーク・ノードおよび／または受信器に対して、異なるセル内の無線ネットワーク・ノードと受信器の間のアップリンク送信とダウンリンク送信を、共通時間参照への時間同期およびアップリンクとダウンリンクへの同一のリソース割当ての利用によって、揃えることができる。
【００１０】
したがって、ＦＤＤを適用するとき、同数のアップリンク・サブフレームとダウンリンク・サブフレームが無線フレームにおいて利用可能であり、受信したダウンリンク・サブフレームごとにＨＡＲＱフィードバックをアップリンク・サブフレームで提供でき、逆も成り立つ。換言すれば、その関連付けが１対１、即ち、各アップリンク・サブフレームに厳密に１つのダウンリンク・サブフレームが関連付けられるように、フィードバック生成のために全てのダウンリンク・サブフレームを特定の後のアップリンク・サブフレームに関連付けることができる。しかし、ＴＤＤでは、アップリンク・サブフレームとダウンリンク・サブフレームの数は一部の構成では異なることがあり、当該構成では例えば、図１Ａに示すように、アップリンク・サブフレームより多くのダウンリンク・サブフレームが含まれる。
【００１１】
データ・パケット（例えば、ＬＴＥのトランスポート・ブロック）は１つのサブフレームで送信されるので、一般に、１つのＨＡＲＱメッセージは各ダウンリンク・サブフレームに関連付けられる。これは、複数のダウンリンク・サブフレームからのＨＡＲＱメッセージを単一のアップリンク・サブフレームで送信する必要がありうることを示唆する。これは、ＨＡＲＱに対して複数の一意なアップリンク・リソースを割り当てることを要求する。かかるシナリオでは、アップリンク・サブフレームごとに例えば４つのダウンリンク・サブフレームを含み、受信器は、図１Ｂに示すように、４つのダウンリンク・サブフレームの全てに対してＨＡＲＱフィードバックを１つのアップリンク・サブフレームで提供しなければならない。これを行うとき、ＨＡＲＱフィードバックは大量のアップリンク通信リソースを占有する可能性がある。したがって、特にＴＤＤに対して、アップリンク・サブフレームが多数のユーザに対する複数のサブフレームからのＨＡＲＱメッセージを含みうるが、ネットワーク・ノードが効率的なアップリンク・リソース割当てを行えることが基本である。これは、無線フレームにおいてアップリンク・サブフレームがダウンリンク・サブフレームより少ないときに特に重要になる。なぜならば、予約されたアップリンク制御チャネルリソースの量がデータ送信用の利用可能なリソースに影響を及ぼすからである。
【００１２】
ＴＤＤに対する別の制限は、異なるダウンリンク・サブフレームでのダウンリンク・データ送信に関連付けられるアップリンク・リソースに対して一意な割当てが必要であるということである。
【００１３】
したがって、アップリンク・リソースのオーバヘッドを最小限にしつつ異なるサブフレームに対してリソースが一意であるように、ＴＤＤシステムにおいてＨＡＲＱフィードバック用のアップリンク送信リソースを割り当てることが課題である。
【００１４】
ＬＴＥでは、送信に使用できる最小の時間周波数エンティティはリソース要素（ＲＥ）と呼ばれる。これは、複素値の変調シンボルをサブキャリアで運搬することができる。リソース・ブロック（ＲＢ）は、１組のＲＥ（例えば、７＊１２＝８４個のＲＥ）を含み、０．５ｍｓの期間（例えば、７個の直交周波数分割多重（ＯＦＤＭ）シンボル）および１８０ｋＨｚの帯域幅（例えば、１５ｋＨｚの間隔を有する１２個のサブキャリア）である。キャリアの送信帯域幅は１組のＲＢに分割される。典型的なＬＴＥキャリア帯域幅は６、１５、２５、５０、７５および１００ＲＢに対応する。データを物理ダウンリンク共有データ・チャネル（ＰＤＳＣＨ）のダウンリンクで送信することができる。これは、関連する物理ダウンリンク制御チャネル（ＰＤＣＣＨ）によりスケジュールされる。ＰＤＣＣＨは最初に検出され、ＰＤＳＣＨの送信フォーマットに関する情報を含む。ＰＤＳＣＨ上でのユーザ・データ（即ち、トランスポート・ブロック）の各送信は、１つまたは幾つかのＲＢで１ｍｓの期間（サブフレームとも呼ばれる）で行われ、無線フレームは１０個のサブフレームから構成される。
【００１５】
ＯＦＤＭは、複数のキャリア周波数上のデジタル・データをエンコードする方法である。ＯＦＤＭは、デジタルのマルチキャリア変調方法として使用される周波数分割多重化（ＦＤＭ）機構である。多数の密集した直交サブキャリア信号を使用してデータが運搬される。データは、サブキャリアごとに１つ、幾つかの並列データストリームまたはチャネルに分割される。
【００１６】
ＯＦＤＭは、無線や銅線に関わらず、広帯域デジタル通信に対する一般的な枠組みへと発展し、デジタル・テレビ音声ブロードキャスティング、デジタル加入者線（ＤＳＬ。元はＤｉｇｉｔａｌ  Ｓｕｂｓｃｒｉｂｅｒ  Ｌｏｏｐ）ブロードバンド・インターネット・アクセス、無線ネットワーク、および４Ｇモバイル通信のようなアプリケーションで使用されている。
【００１７】
ＬＴＥシステムでは、ＨＡＲＱフィードバックを物理アップリンク制御チャネル（ＰＵＣＣＨ）で送信することができる。ここで、ＰＵＣＣＨリソースの概念は、送信シーケンス、（４位相偏移変調（ＱＰＳＫ）または２位相偏移変調（ＢＰＳＫ）複素値シンボルのような）変調シンボル、および時間周波数リソース（例えば、１組のＲＥまたはＲＢ）に関連する。一般に、ＨＡＲＱフィードバックに必要なＰＵＣＣＨリソースが増えると、データをアップリンクで送信するために利用可能な時間周波数リソースは減る。幾つかの事例では、例えば上述のＴＤＤの場合、複数のＨＡＲＱメッセージをサブフレームで送信する必要がある。別の例はダウンリンク・キャリア集約に関するものである。この場合、受信器／ＵＥは同時にデータを複数のキャリアから受信し、独立なＨＡＲＱメッセージをキャリアごとにフィードバックしなければならない。しかし、ＬＴＥシステムでは、複数のＰＵＣＣＨリソースでの同時送信によりＨＡＲＱフィードバックを行うことはできない。なぜならば、より狭いカバレージと低い信頼性の原因となる受信器／ＵＥ内の大量の電力バックオフが必要であるからである。その代わり、複数のＨＡＲＱメッセージを、所謂チャネル選択により単一のＰＵＣＣＨリソースでフィードバックすることができる。これは、１組の複数のＰＵＣＣＨリソース（即ち、チャネル）が受信器／ＵＥに割り当てられ、複数のメッセージからのＨＡＲＱ情報がエンコードされ、それにより、受信器／ＵＥが当該１組の複数のＰＵＣＣＨリソースから、選択されたリソースで送信される変調シンボルとともにＰＵＣＣＨリソースを選択することを示唆する。ＬＴＥにおいて、ＴＤＤに対してはキャリア集約を用いてまたはキャリア集約を用いずに、ＦＤＤに対してはキャリア集約を用いて、チャネル選択を適用することができる。
【００１８】
チャネル選択を用いたＴＤＤに対する１種のＰＵＣＣＨリソース割当ては暗黙的な予約に基づくものである。即ち、ＰＵＣＣＨリソースは受信器／ＵＥに送信されないが、受信器／ＵＥは、ダウンリンク・データ（ＰＤＳＣＨ）をスケジュールするダウンリンク制御チャネルから暗黙的にリソースを決定する。ＰＤＣＣＨを１つまたは幾つかの制御チャネル要素（ＣＣＥ）で送信できるのでこれが可能である。当該１つまたは幾つかの制御チャネル要素は１組の時間周波数リソースを表す。各ＰＤＣＣＨは一意な組のＣＣＥを占有し、したがって、占有されたＣＣＥ（ＰＤＣＣＨの第１のＣＣＥのインデックスを使用）からＰＵＣＣＨリソースへの１対１のマッピングをリソース衝突なしに生成することができる。この利点は、データが送信されＨＡＲＱフィードバックが期待されるときにのみアップリンク・リソースが予約され、ダウンリンク制御チャネルにアップリンク・リソースのシグナリングが生ずるのが回避されるということである。
【００１９】
ＬＴＥシステムのさらなる発展形として、拡張ＰＤＣＣＨ（ＥＰＤＣＣＨ）がサポートされている。ＥＰＤＣＣＨの構造は基本的にＰＤＣＣＨとは異なる。例えば、ＥＰＤＣＣＨはセル固有の参照信号ではなく受信器固有の復調参照信号に基づく。これにより、プリコードされた（即ち、受信器固有にビームが形成された）参照信号を利用することができる。ＰＤＣＣＨがシステムの全帯域幅で定義され（したがって送信可能であ）る一方で、ＥＰＤＣＣＨを１組の構成可能な受信器固有のＲＢ（即ち、ＥＰＤＣＣＨ集合）に制限でき、受信器／ＵＥを複数のＥＰＤＣＣＨ集合で構成することができる。これにより、セル間干渉の調整を、様々なセルにおいて素なＥＰＤＣＣＨ集合を配置することでＥＰＤＣＣＨに対して実施することができる。各ＥＰＤＣＣＨ集合は１群の（例えば、２、４および８個の）物理リソース・ブロック（ＰＲＢ）ペアを含み、各ＰＲＢペアは１組の（例えば、１６個の）拡張リソース要素グループ（ＥＲＥＧ）を含む。次に、ＰＲＢペア内の１組のＥＲＥＧが拡張ＣＣＥ（ＥＣＣＥ）を構成する。ＰＲＢペアごとのＥＣＣＥの数は一般に、サブフレームのタイプに応じて、２または４でありうる（即ち、それぞれ８個および４個のＥＲＥＧに対応）。即ち、ＥＣＣＥの数は時間とともに変化する。無線リンクの条件に応じて、ＥＰＤＣＣＨを１つまたは少数のＰＲＢペア内（即ち、局所送信）、または、ＥＰＤＤＣＨ集合の全てのＰＲＢペア（即ち、分散送信）の何れかに配置された１組のＥＣＣＥ、例えば、１、２、４、８、１６または３２個のＥＣＣＥで送信してもよい。ＥＰＤＣＣＨを送信するのに使用されるＥＣＣＥ（またはＥＲＥＧ）が増えると、低符号化率を利用できるので、制御チャネル送信がより堅牢になる。ＥＣＣＥはＥＰＤＣＣＨ集合ごとに列挙される。異なるアンテナ・ポートを用いて幾つかのＥＰＤＣＣＨを１組の同一のＥＣＣＥで送信できるように、ＥＰＤＣＣＨはマルチユーザ多入力他出力（ＭＵ−ＭＩＭＯ）もサポートする。
【００２０】
局所送信では、ＥＰＤＣＣＨはその送信に指定されたＥＣＣＥに関連付けられた全てのＥＲＥＧを占有する。しかし、分散送信では、ＥＰＤＣＣＨはＰＲＢ内のＥＣＣＥの全てのＥＲＥＧを利用することはできない。なぜならば、幾つかのＰＲＢペアで送信され、ＰＲＢペアごとに少数のＥＲＥＧしか使用できない可能性があるからである。例えば、分散送信は、局所送信に対する１つＰＲＢペアにおける１つのＥＣＣＥに対応する４つのＥＲＥＧではなく、４つの異なるＰＲＢペアから４つのＥＲＥＧ（ＰＲＢペアごとに１つのＥＲＥＧ）を使用することがある。
【００２１】
ＴＤＤでは、フレーム構造は、正常なサブフレームに加えて、ダウンリンク送信のための第１の部分、ダウンリンク・パイロット時間スロット（ＤｗＰＴＳ）、ガード・ピリオド（ＧＰ）のための第２の部分およびアップリンク送信のための最後の部分、アップリンク・パイロット時間スロット（ＵｐＰＴＳ）を含む特殊フレームを含む。図２Ａを参照。当該異なる部分の期間は異なってもよく、システムにより構成可能であってもよい。
【００２２】
ダウンリンク・サブフレームを図２Ｂに示し、アップリンク・サブフレームを図２Ｃに示す。
【００２３】
さらに、ＬＴＥシステムでは、制御チャネル（例えば、ＰＤＣＣＨ）をサブフレームの３つ（狭いシステム帯域幅に対しては４つ）の第１のＯＦＤＭシンボルで送信できるダウンリンク制御領域がある。図２Ｂを参照。ＴＤＤの特殊サブフレームでは、ダウンリンク制御領域は正常サブフレームの場合よりも短い。
【００２４】
ＴＤＤは、展開シナリオとトラフィック負荷に応じてリソースをアップリンクまたはダウンリンクに柔軟に割り当てることができるので、魅力的な多重化方法である。ＥＰＤＣＣＨは、ダウンリンクのセル間干渉の調整とビーム形成の観点からＴＤＤを有用にする幾つかの魅力的な機能を有する。したがって、システムがＥＰＤＣＣＨおよびＴＤＤモードで動作できれば有利であろう。しかし、効率的なＨＡＲＱフィードバックを構成できることを保証しなければならない。そうでなければ、アップリンク制御チャネルのオーバヘッドが大きな欠点となる。
【発明の概要】
【発明が解決しようとする課題】
【００２５】
したがって、制御チャネルのオーバヘッドと性能の間の合理的なトレードオフが存在するのを保証するのが一般的な課題である。
【課題を解決するための手段】
【００２６】
したがって、上述の欠点のうち少なくとも幾つかを除去し無線通信システムの性能を改善することが本発明の目的である。
【００２７】
第１の態様によれば、本発明の目的は、ダウンリンク制御チャネルに関連付けられたダウンリンク・データ・チャネルで送信されるデータに対するＨＡＲＱフィードバックを提供するアップリンク制御チャネルリソースを割り当てるための無線ネットワーク・ノードにおける方法により実現される。当該ダウンリンク制御チャネルは、利用可能な時間周波数リソースのサブセットで構成可能である少なくとも１組のダウンリンク制御チャネルリソースを含む。当該方法は、１組のダウンリンク制御チャネルリソースを、夫々のダウンリンク制御チャネルリソースへのインデックスを含む少なくとも２つの参照サブセットに分割するステップを含む。また、当該方法は、かかる参照サブセットごとに、一意なアップリンク制御チャネルリソースへのインデックスを含む関連する参照サブセットを定義するステップを含む。さらに、当該方法は、参照サブセット内の各要素を当該参照サブセット内のサブフレームおよび要素と関連付けるステップを含む。さらに、当該方法は、当該ダウンリンク制御チャネルに関連付けられたダウンリンク・データ・チャネルでデータを送信するステップをさらに含む。
【００２８】
第２の態様によれば、本発明の目的は、ダウンリンク制御チャネルに関連付けられたダウンリンク・データ・チャネルで送信されるデータに対するＨＡＲＱフィードバックを提供するアップリンク制御チャネルリソースを割り当てるための無線ネットワーク・ノードにより実現される。当該ダウンリンク制御チャネルは、利用可能な時間周波数リソースのサブセットで構成可能である少なくとも１組のダウンリンク制御チャネルリソースを含む。当該無線ネットワーク・ノードは処理回路を備える。当該処理回路は１組のダウンリンク制御チャネルリソースを、夫々のダウンリンク制御チャネルリソースへのインデックスを含む少なくとも２つの参照サブセットに分割するように構成される。当該処理回路はさらに、かかる参照サブセットごとに、一意なアップリンク制御チャネルリソースへのインデックスを含む関連する参照サブセットを定義するように構成される。さらに、当該処理回路は、参照サブセット内の各要素を夫々のダウンリンク制御チャネルリソースへのインデックスを含む、参照サブセット内のサブフレームおよび要素と関連付けるように構成される。当該無線ネットワーク・ノードは、ダウンリンク制御チャネルに関連付けられたダウンリンク・データ・チャネルでデータを送信するように構成された送信ユニットも備える。
【００２９】
第３の態様によれば、本発明の目的は受信器における方法により実現される。当該受信器は、ダウンリンク制御チャネルに関連付けられたダウンリンク・データ・チャネルで送信されるデータに対するＨＡＲＱフィードバックを提供するように構成される。当該ダウンリンク制御チャネルは、利用可能な時間周波数リソースのサブセットで構成可能である少なくとも１組のダウンリンク制御チャネルリソースを含む。当該方法は、当該ダウンリンク制御チャネルに関連付けられたダウンリンク・データ・チャネル上のサブフレームのデータ、および一意なアップリンク制御チャネルリソースに対する関連する参照サブセットを無線ネットワーク・ノードから受信するステップを含む。さらに、当該方法は、受信したサブフレームごとに、データが正しく受信されたかどうかを判定するステップを含む。さらに、当該方法は、アップリンク制御チャネルリソース上の正しく受信されたデータ・サブフレームごとの肯定応答（ＡＣＫ）、および正しく受信されなかったデータ・サブフレームごとの否定応答（ＮＡＣＫ）を含むＨＡＲＱフィードバックを、受信した参照サブセットに従ってエンコードするステップを含む。さらに、当該方法は、無線ネットワーク・ノードにより受信されるエンコードされたＨＡＲＱフィードバックを送信するステップを含む。
【００３０】
第４の態様によれば、本発明の目的は受信器により実現される。当該受信器は、ダウンリンク制御チャネルに関連付けられたダウンリンク・データ・チャネルで送信されるデータに対するＨＡＲＱフィードバックを提供するように構成される。当該ダウンリンク制御チャネルは、利用可能な時間周波数リソースのサブセットで構成可能である少なくとも１組のダウンリンク制御チャネルリソースを含む。当該受信器は、ダウンリンク制御チャネルに関連付けられたダウンリンク・データ・チャネル上のサブフレームのデータを受信し、一意なアップリンク制御チャネルリソースに対する関連する参照サブセットを無線ネットワーク・ノードから受信するように構成された受信ユニットを備える。さらに、当該受信器は、受信サブフレームごとに、データが正しく受信されたかどうかを判定するように構成された処理回路を備える。また、当該処理回路はさらに、アップリンク制御チャネルリソース上の正しく受信されたデータ・サブフレームごとの肯定応答（ＡＣＫ）、および正しく受信されなかったデータ・サブフレームごとの否定応答（ＮＡＣＫ）を含むＨＡＲＱフィードバックを、受信した参照サブセットに従ってエンコードするように構成される。さらに、当該受信器は、無線ネットワーク・ノードにより受信されるエンコードされたＨＡＲＱフィードバックを送信するように構成された送信ユニットも備える。
【００３１】
本発明の諸実施形態をアップリンク送信リソースの割当てに適用してもよい。当該割当ての少なくとも一部を、ダウンリンクチャネルへの暗黙的な関連付けから行ってもよい。かかるダウンリンクチャネルがデータ・チャネルを含んでもよい。当該暗黙的な関連付けが、ダウンリンクチャネルにより使用される少なくとも１つの時間周波数リソースに対応してもよい。
【００３２】
本発明の幾つかの諸実施形態は、複数のアップリンク送信リソースを例えばＴＤＤシステムで割り当てる必要があるシステムに適用可能である。幾つかの実施形態はチャネル選択を使用することによりＨＡＲＱフィードバックに適用可能である。
【００３３】
さらに、本発明の幾つかの諸実施形態は、暗黙的な予約に部分的に基づくリソース割当てに適用可能である。例えば、受信器固有のオフセット、セル固有のオフセットおよびアンテナ・ポートに対する暗黙的な関係をさらに含めてもよい。
【００３４】
本明細書の諸実施形態に従う幾つかの利点には、アップリンク制御チャネルリソースがあまり割り当てられないので、アップリンク制御チャネルのオーバヘッドを低く保ちつつネットワーク性能が高まることがある。それにより、対応する帯域幅をアップリンク・データ・チャネルに割り当てることで、制御チャネルリソースに割り当てなければならないアップリンク・リソースをアップリンク・データの送信に利用することができる。したがって、無線通信システムにおいて性能が高まる。
【００３５】
本発明の諸実施形態の他の目的、利点、および新規な特徴は以下の詳細な説明から明らかになろう。
【００３６】
本発明の諸実施形態を、諸実施形態の例を示す添付図面を参照してより詳細に説明する。
【図面の簡単な説明】
【００３７】
【図１Ａ】先行技術に従うＴＤＤにおけるサブフレームのブロック図である。
【図１Ｂ】先行技術に従うダウンリンク・シグナリングおよびアップリンク・シグナリングを示す結合ブロック図およびシグナリング機構の図である。
【図２】図２Ａは先行技術に従うＴＤＤにおけるサブフレームのブロック図である。図２Ｂは先行技術に従うＴＤＤにおけるダウンリンク・サブフレームのブロック図である。図２Ｃは先行技術に従うＴＤＤにおけるアップリンク・サブフレームブロック図である。
【図３】本発明の１実施形態を示すブロック図である。
【図４Ａ】本発明の１実施形態を示すブロック図である。
【図４Ｂ】本発明の１実施形態を示すブロック図である。
【図５】本発明の１実施形態に従う無線ネットワーク・ノードにおける方法を示す流れ図である。
【図６】本発明の１実施形態に従う無線ネットワーク・ノードのブロック図を示す図である。
【図７】本発明の１実施形態に従う受信器における方法を示す流れ図である。
【図８】本発明の１実施形態に従う受信器ブロック図を示すブロック図である。
【発明を実施するための形態】
【００３８】
本明細書で説明する本発明の諸実施形態は、無線ネットワーク・ノード、無線ネットワーク・ノードにおける方法、受信器および受信器における方法として定義される。これらを、以下で説明する諸実施形態で実施してもよい。しかし、これらの実施形態は、多数の異なる形態で実施し実現してもよく、本明細書で説明する諸実施形態に限定されるとは考えるべきではない。そうではなく、これらの実施形態は、本開示が徹底的であり完全であるように提供されるものである。
【００３９】
さらに他の目的と特徴は、添付図面と関連して以下の詳細な説明を検討することで明らかになろう。しかし、添付図面は例示の目的でのみ示したものであり、本明細書で開示した諸実施形態の限定を定義するものではないことは理解される。当該諸実施形態については添付の諸請求項を参照されたい。さらに、特に断らない限り、添付図面は必ずしも正しい縮尺では描かれていないが、それらは本明細書で説明する構造と手続きを概念的に例示しようとするものにすぎない。
【００４０】
図３は無線通信システム３００の略図である。幾つか例を挙げると、無線通信システム３００が、少なくとも、例えば、3GPP LTE, LTE-Advanced、Evolved Universal Terrestrial Radio Access Network (E-UTRAN)、Universal Mobile Telecommunications System (UMTS)、Global System for Mobile Communications (元はGroupe Special Mobile) (GSM（登録商標）)/ Enhanced Data rate for GSM（登録商標） Evolution (GSM（登録商標）/EDGE)、Wideband Code Division Multiple Access (WCDMA（登録商標）)、Worldwide Interoperability for Microwave Access (WiMax)、またはUltra Mobile Broadband (UMB)、High Speed Packet Access (HSPA) Evolved Universal Terrestrial Radio Access (E-UTRA)、Universal Terrestrial Radio Access (UTRA)、GSM（登録商標） EDGE Radio Access Network (GERAN)、3GPP2 CDMA技術、例えば、CDMA2000 1x RTTおよびHigh Rate Packet Data (HRPD)、のような無線アクセス技術に基づいてもよい。
【００４１】
幾つかの実施形態によれば、無線通信システム３００をＴＤＤ原理に従って動作するように構成してもよい。
【００４２】
ＴＤＤは、上述したように、場合によってはガード・ピリオドをアップリンク送信とダウンリンク送信の間の時間領域に配置して、時間においてアップリンク信号とダウンリンク信号を分離するために時分割多重を適用したものである。
【００４３】
図３の例の目的は、方法、本明細書で説明する無線ネットワーク・ノードや受信器のようなノード、および必要な機能の簡単で、一般的な概要を提供することである。以下では、当該方法、無線ネットワーク・ノードおよび受信器を、非限定的な例として、３ＧＰＰ／ＬＴＥの環境で説明するが、開示した方法、無線ネットワーク・ノードおよび受信器の実施形態を、例えば上で列挙したものの何れかのような別のアクセス技術に基づく無線通信システム３００で実施してもよい。したがって、本発明の諸実施形態を、３ＧＰＰ  ＬＴＥシステムに基づき３ＧＰＰ  ＬＴＥシステムの用語を用いて説明するが、これは決して３ＧＰＰ  ＬＴＥに限定されるものではない。
【００４４】
図示した無線通信システム３００は、無線ネットワーク・ノード３１０と受信器３２０を備える。無線ネットワーク・ノード３１０はセル３３０にサービスを提供する。
【００４５】
無線ネットワーク・ノード３１０は、セル３３０内部の受信器３２０に無線リソースを割り当て、無線ネットワーク・ノード３１０と受信器３２０の間の信頼できる無線通信を保証するといったように、セル３３０内部の無線リソース管理を制御する。無線ネットワーク・ノード３１０は、一般に、例えばＬＴＥ関連の無線通信システム３００におけるｅＮｏｄｅＢを備えてもよい。
【００４６】
受信器３２０は、無線ネットワーク・ノード３１０により受信される情報を含む無線信号を送信するように構成される。それに応じて、受信器３２０は、無線ネットワーク・ノード３１０により送信された情報を含む無線信号を受信するように構成される。
【００４７】
図３の１つの受信器３２０と１つの無線ネットワーク・ノード３１０の図示したネットワーク設定は１実施形態の非限定的な例としてのみ解釈すべきである。無線通信システム３００が他の任意の数および／または組合せの無線ネットワーク・ノード３１０および／または受信器（複数可）３２０を備えてもよいが、明快さのため、受信器３２０と無線ネットワーク・ノード３１０の１つの例のみをそれぞれ図３に示してある。複数の受信器３２０および無線ネットワーク・ノード３１０をさらに本発明の幾つかの実施形態に含めてもよい。
【００４８】
したがって、本明細書において「１つの」受信器３２０および／または無線ネットワーク・ノード３１０に言及するときは常に、幾つかの実施形態に従って、複数の受信器３２０および／または無線ネットワーク・ノード３１０を含めてもよい。
【００４９】
様々な実施形態と様々な用語に従って、受信器３２０を、例えばＵＥ、無線通信端末、携帯電話、携帯情報端末（ＰＤＡ）、無線プラットフォーム、移動局、ポータブル通信デバイス、ラップトップ、コンピュータ、中継器として動作する無線端末、中継ノード、モバイル中継器、カスタマ構内設備（ＣＰＥ）、固定無線アクセス（ＦＷＡ）ノードまたは無線ネットワーク・ノード３１０と無線で通信するように構成された他の任意の種類の装置により表現してもよい。
【００５０】
使用する無線アクセス技術と用語の例に応じて、無線ネットワーク・ノード３１０を、幾つかの実施形態に従って、例えば基地局、ＮｏｄｅＢ、発展型ＮｏｄｅＢ（ｅＮＢ、またはｅＮｏｄｅＢ）、基地送受信局、アクセス・ポイント基地局、基地局ルータ、無線基地局（ＲＢＳ）、マクロ基地局、ミクロ基地局、ピコ基地局、フェムト基地局、ホームｅＮｏｄｅＢ、センサ、ビーコン装置、中継ノード・リピータまたは無線インタフェースで受信器１１０と通信するように構成された他の任意のネットワーク・ノードと称してもよい。
【００５１】
以下では、３ＧＰＰ  ＬＴＥシステム（ＥＰＤＣＣＨ、ＥＣＣＥ、サブフレーム等）の用語をしばしば使用するが、当業者は、同一の機能や特性を有するチャネルや信号のより一般的な概念を想到するであろう。
【００５２】
Ｍ個、例えばＭ＝１、２、３、４個のダウンリンク・サブフレームに対するＨＡＲＱシグナリングに関連付けられたアップリンク・サブフレームを考える。さらに、ＨＡＲＱフィードバックを提供すべきであるデータ送信に関連付けられたダウンリンク制御チャネルを送信できるＮ個の時間周波数リソースが存在すると仮定する。当該Ｎ個のリソースのうちどれでＥＰＤＣＣＨを送信できるかについて制限がありうることに留意されたい。これは、例えば、どのように当該Ｎ個のリソースを様々な受信器３２０の間で共有できるか、ＥＰＤＣＣＨ集合のサイズまたはＥＰＤＣＣＨを送信するために使用されるリソースの数に依存しうる。それでも、Ｎ個のリソースが存在し、ダウンリンク制御チャネルを当該Ｎ個のリソースのうち１つまたは幾つかで送信してもよいと仮定する。例えば、ダウンリンク制御チャネルがＥＰＤＣＣＨであってもよく、時間周波数リソースが１つ（または幾つか）のＥＣＣＥ（複数可）であってもよく、例えば、当該ダウンリンク制御チャネルの局所送信に使用してもよい。当該Ｎ個の時間周波数リソース（例えば、ＥＣＣＥ）がＥＰＤＣＣＨ集合内のＥＣＣＥを表してもよい。あるいは、当該ダウンリンク制御チャネルの分散送信に対して、時間周波数リソースが幾つかのＥＣＣＥおよびＰＲＢペアからのリソース（例えば、ＥＲＥＧ）から構成されてもよい。したがって、当該Ｎ個の時間周波数リソースが、分散送信のための、ＥＰＤＣＣＨ集合内の集約されたＥＲＥＧの集合、または、単にＥＰＤＣＣＨ集合内のＥＲＥＧを表してもよい。当該Ｎ個のＥＣＣＥがＥＰＤＣＣＨ集合内のＥＣＣＥを表してもよい。特に、本明細書の諸実施形態では、送信器が当該Ｎ個のリソースの時間周波数位置を制御（例えば、構成）できるケースを考える。かかる構成が、構成可能な時間位置以外の固定周波数位置、もしくは、構成可能な周波数位置以外の固定時間位置の何れか、または構成可能な時間位置および周波数位置の両方を含んでもよいことに留意されたい。周波数位置を１組のＰＲＢペアにより特徴付けてもよい。時間位置を１組のサブフレームにより特徴付けてもよい。例えば、当該Ｎ個のリソースを、例えば幾つかのＰＲＢペアの中の、キャリア帯域幅の特定の部分に制限してもよい。これは、当該Ｎ個のリソースが構成可能なＥＰＤＣＣＨ集合から定義される場合に当てはまる。
【００５３】
さらに、本発明はまた、ネットワーク・ノード３１０が少なくとも第１の組のＮ個のダウンリンク・リソースの時間周波数位置を構成しており、時間周波数位置が構成可能ではないが前もって受信器３２０に既知である第２の組のＮ個のダウンリンク・リソースを提供するケースにも適用可能である。当業者は、時間周波数位置が構成可能ではないが前もって受信器３２０に既知である１組のＮ個のダウンリンク・リソースのみが存在するときにも、当該諸実施形態を適用し、本発明の機能を特徴付けることに想到するであろう。所定の時間周波数リソースを使用する例は、例えば、ＬＴＥシステムの所謂共通検索空間により、ダウンリンク制御チャネルをセル内の全ての受信器３２０に伝達するというものである。
【００５４】
ＥＰＤＣＣＨを考えると、所与のＥＰＤＣＣＨ集合に対して、Ｎの値はＥＰＤＣＣＨ集合内のＰＲＢペアの数とＰＲＢペアごとのＥＣＣＥの数の関数である。１例では、Ｎをシステム３００によりサポートされるＰＲＢペアごとのＥＣＣＥの最大値に基づいて計算してもよい。
【００５５】
Ｍ・Ｎ個の一意なアップリンク・リソースを割り当てることができるのを保証するのが幾つかの実施形態に従う本発明の目的である。非限定的な仮定は、アップリンク・リソースがｍ＝０、１、．．．、Ｍ・Ｎ−１とインデックス化されるというものである。さらに、以下の例では、ＨＡＲＱフィードバックに対する予約されたアップリンク時間周波数リソースの量はインデックスｍの非減少関数である。したがって、どの事例においても、リソースｍ＝ｍ０が利用される場合、無線ネットワーク・ノード３１０はリソースｍ＜ｍ０に対応する時間周波数リソース（例えば、ＰＲＢペア）を、これらが利用されない場合であっても、予約しなければならない。ダウンリンク制御チャネルの時間周波数リソースがｎ＝０、１、．．．、Ｎ−１とインデックス化され、サブフレームがｊ＝０、１、．．．、Ｍ−１とインデックス化されると仮定する。当業者は、本発明の特徴を満たしつつインデックス化を変更することに想到しうる。ＨＡＲＱメッセージに対するアップリンク・リソースが、関連するダウンリンク制御チャネルにより占有される１つまたは幾つかの時間周波数リソースｎからの暗黙的なマッピングにより少なくとも部分的に決定されると仮定する。例えば、追加の受信器固有のオフセット、セル固有のオフセットやアンテナ・ポートに対する暗黙的な関係を考慮してもよい。以下では、この暗黙的なマッピングをさらに検討する。インデックスの概念をアップリンク・リソースまたはダウンリンク・リソースの何れかに対して同様な意味で使用してもよい。幾つかの実施形態における本発明の別の目的は、割り当てたアップリンク・リソースの量を最小化することである。
【００５６】
幾つかの実施形態では、当該方法は先ず、当該Ｎ個のダウンリンク時間周波数リソースのインデックスをＮｓ個の素なサブセットΦｉ、０≦ｉ≦Ｎｓ−１に分割するステップを含む。ここで１＜Ｎｓ≦Ｎである。１実施形態では、当該サブセットのサイズ｜Φｉ｜は全てのサブセットで同じである。別の例では、１つのサブセットだけが同じサイズであってもよい。特に、幾つかの実施形態では、整数の数のＰＲＢペア、例えば、１または２個のＰＲＢペアに対応するリソース・インデックスを含むように当該サブセットを配置できることができ、これにより、アップリンク・リソースが節約される。１実施形態では、サブセット内の要素は連続するリソース・インデックスを含む。異なるリソース・インデックスがどのように異なるＰＲＢペアにマップされるかに応じて、例えば１または２個のＰＲＢペア内のリソースに関連付けられたインデックスを含むようにサブセットを配置するには、当該サブセットが連続的なインデックスを含む必要がないことは当業者には明らかである。各集合Φｉ、０≦ｉ≦Ｎｓ−１は、Ｍ・｜Φｉ｜個の一意なアップリンク・リソース・インデックスを含む１組のアップリンク・リソース・インデックスΩｉ、０≦ｉ≦ＮＳ−１に関連付けられる。Ωｉ、０≦ｉ≦ＮＳ−１の集合は素である。当該方法の幾つかの実施形態の別のステップでは、Ｍ・｜Φｉ｜個のアップリンク・リソース・インデックスを関連する集合Φｉ、０≦ｉ≦Ｎｓ−１内のインデックスごとにＭ個のサブフレームに割り当ててもよい。
【００５７】
１実施形態では、各集合Ωｉ、０≦ｉ≦ＮＳ−１は連続するリソース・インデックスを含む。以下は、当該実施形態の１例である。
【００５８】
【数１】
2015536082.tif 000003
【００５９】
とする。Ｋは正の数または整数であり、
【００６０】
【数２】
2015536082.tif 000004
【００６１】
はフロア演算子である。したがって、本例では、サブセットは連続的なインデックスを含む。さらに、連続するアップリンク・リソース・インデックスの関連集合を
【００６２】
【数３】
2015536082.tif 000005
【００６３】
とする。当該集合の要素を例えば昇順または降順で並べてもよい。１実施形態では、当該アップリンク・リソース・インデックスを次いで集合Φｉ、０≦ｉ≦Ｎｓ−１ごとにｎの昇順で、次にｊの昇順で割り当てる。表１は、Ｎ＝１６、Ｎｓ＝４、Ｍ＝４およびＫ＝４の場合のこの割当ての例を示す。これにより、以下の整数の集合が得られる。要素は昇順で並んでいるとする。
【００６４】
【数４】
2015536082.tif 000006
【００６５】
図４Ａは、上述し表１で例示した割当てを示す。当該方法の割当ては、無線ネットワーク・ノード３１０が全てのサブフレーム内のＮ個のリソース・インデックスのサブセットのみで関連するダウンリンク制御チャネルをスケジュールすることを選択できることにより、アップリンク・リソースを節約できるという利点をもたらす。例えば、Ｋ＝４個のＥＣＣＥがＰＲＢペアごとに利用可能であると考えると、Φｉのリソースは１個のＰＲＢペア内の４個のＥＣＣＥに対応する。無線ネットワーク・ノード３１０がそのダウンリンク制御チャネルのスケジューリングを全てのサブフレーム内のΦ０に対応する時間周波数リソースに制限する場合、（６４個のリソースではなく）１６個（０−１５）のアップリンク・リソースを予約すれば十分であろう。無線ネットワーク・ノード３１０がサブフレームｊ＝３内のｎ＝６３でダウンリンク制御チャネルを送信する場合のみ、６４個のリソースが必要である。無線ネットワーク・ノード３１０が第１のＰＲＢペアと第２のＰＲＢペアの何れかで（即ち、リソースｎ＝０乃至７で）スケジュールする場合、３１個のリソースのみが必要であってもよい。本発明の利点はしたがって、ダウンリンク制御チャネルのスケジューリングにより無線ネットワーク・ノード３１０が自由にアップリンク・リソースを節約できるということである。特に、サブセット、｜Φｉ｜がＰＲＢペア内のダウンリンク時間周波数リソースの最大数、例えば４に対応する１実施形態では、かかる節約が得られる。
【００６６】
図４Ａで図示した例は１実施形態の任意の例にすぎないに留意されたい。図示した４つの時間周波数リソースのサブフレームΦ０、Φ１、Φ２、Φ３の例は例示的なものにすぎない。本発明の他の諸実施形態では他の数の時間周波数リソースのサブフレームΦ０、Φ１、Φ２、Φ３を利用してもよい。かかるアップリンク・リソースのオーバヘッド節約は先行技術では利用可能でない。なぜならば、関連する制御チャネルＰＤＣＣＨが広い帯域幅とその時間周波数リソースで送信され、ＰＲＢペアの点では構成可能でないからである。
【００６７】
表１は、Ｎ＝１６、Ｎｓ＝４、Ｍ＝４、Ｋ＝４の場合の例であり、アップリンク・リソース・インデックスが集合Φｉ、０≦ｉ≦Ｎｓ−１ごとにｎの昇順で、次にｊの昇順で割り当てられる。
【００６８】
【表１】
2015536082.tif 000007
【００６９】
表１のリソース割当てを、ｍ＝（Ｍ−ｊ−１）・Ｎｃ＋ｊ・ＮＣ＋１＋ｎのように短縮形で表してもよい。ここで、Ｎｃ＝Ｋ・ｃであり、ｃは、ｃ＝｛０、．．．、Ｎｓ−１｝に対してＮｃ≦ｎ＜Ｎｃ＋１となるように選ばれる。
【００７０】
関連するダウンリンク制御チャネルが分散方式で送信されるとき、当該方法によりアップリンク・リソース節約がもたらされうる。このケースでは、リソースｎは、異なるＰＲＢペアからのリソース（例えば、ＥＲＥＧ）から構成される。小さいインデックスｎのリソースで分散ダウンリンク制御チャネルを送信することによって、殆どのアップリンク・リソースが予約されないことは明らかである。例えば、ダウンリンク制御チャネルがＥＰＤＣＣＨの全てのＰＲＢペアで送信される場合、暗黙的にアップリンク・リソースをＥＰＤＣＣＨのＰＲＢペア（例えば、第１のＰＲＢペア）のうち１つの中のＥＲＥＧから予約することができる。したがって、表１で示した実施形態でもリソース節約がもたらされるのは明らかである。
【００７１】
図４Ｂは、本発明の１実施形態に従う例を示す別の図である。図示した実施形態では、４つのダウンリンク・サブフレーム４３０、４３１、４３２、４３３とアップリンク・サブフレーム４４０が存在する。４つのダウンリンク・サブフレーム４３０、４３１、４３２、４３３はそれぞれ、０乃至１５からの数を付した４つの制御チャネルリソースと、ダウンリンク・データ・チャネルを含む。アップリンク・サブフレーム４４０は、０、．．．、６３の番号を付した、アップリンク・データ・チャネルとアップリンク制御チャネルリソースを含む。図４Ｂに図示した例は１実施形態の任意の例であることに留意されたい。本発明の別の諸実施形態ではリソースの位置が異なってもよい。ＨＡＲＱフィードバックを小さいインデックスのアップリンク・リソースで提供することによって、フィードバックを提供するために割り当てる必要がある制御チャネルリソースは少なくてよく、対応する帯域幅をアップリンク・データ送信に利用することができる。
【００７２】
別の実施形態では、アップリンク・リソース・インデックスが集合Φｉ、０≦ｉ≦Ｎｓ−１ごとにｊの昇順で、次いでｎの昇順で割り当てられる。これを、表１と同一のパラメータと集合を用いて表２に例示する。分かるように、当該実施形態ではアップリンク・リソースをさらに減らすことができる。例えば、無線ネットワーク・ノード３１０が全てのサブフレーム内のリソースのインデックスｎ＝０で関連するダウンリンク制御チャネルで送信できる場合には、４個（０−３）のリソースのみが必要であってもよい。したがって、表１と比べると、当該実施形態では、スケジューリングを特定の（即ち、小さいｎのインデックスの）リソースで実施できる場合に複数のサブフレームが利用されるケースにおいてリソース節約がもたらされる。表１と同様に、ダウンリンク制御チャネルが全てのサブフレームに対して第１のＰＲＢペアに制限される場合には、１６個（０乃至１５）のリソースのみが必要である。
【００７３】
表２は、Ｎ＝１６、Ｎｓ＝４、Ｍ＝４、Ｋ＝４の場合の例であり、アップリンク・リソース・インデックスは集合Φｉ、０≦ｉ≦Ｎｓ−１ごとにｊの昇順で、次いでｎの昇順で割り当てられる。
【００７４】
【表２】
2015536082.tif 000008
【００７５】
表２のリソース割当てを、ｍ＝Ｍ・ｎ＋ｊのような短縮形で表してもよい。
【００７６】
１実施形態では、各集合
【００７７】
【数５】
2015536082.tif 000009
【００７８】
はＭ個の素なサブセット
【００７９】
【数６】
2015536082.tif 000010
【００８０】
の和集合である。各サブセットは隣接するリソース・インデックスを含む。サブセットの１例は、
【００８１】
【数７】
2015536082.tif 000011
【００８２】
である。１実施形態では、アップリンク・リソース・インデックスが次いで、集合Φｉ、０≦ｉ≦Ｎｓ−１ごとにｎの昇順で、次いでｊの昇順で割り当てられる。当該集合内の要素は昇順で配置される。これを、表１と同一のパラメータを用いて表２に例示する。例えば、これにより
【００８３】
【数８】
2015536082.tif 000012
【００８４】
が得られる。
【００８５】
表３は、Ｎ＝１６、Ｎｓ＝４、Ｍ＝４、Ｋ＝４の場合の例であり、アップリンク・リソース・インデックスは、集合Φｉ、０≦ｉ≦Ｎｓ−１ごとに、ｎの昇順で、次いでｊの昇順で割り当てられる。
【００８６】
【表３】
2015536082.tif 000013
【００８７】
あるいは、表３の当該リソース割当てを、ｍ＝ｎ＋Ｎ・ｊ、または、
【００８８】
【数９】
2015536082.tif 000014
【００８９】
のような短縮形で表してもよい。Ｎｋはサブフレームｋの中のアップリンク制御チャネルリソースの数（例えば、サブフレームｋ内のＥＰＤＣＣＨ集合のＥＣＣＥの数）である。
【００９０】
無線ネットワーク・ノード３１０が小さいインデックスｊのサブフレーム内のダウンリンク制御チャネルを送信できる場合、この構成によりアップリンク・リソースのオーバヘッド節約がもたらされる。例えば、任意のインデックスｎでのみ送信されるが、サブフレームｊ＝０でのみ送信される場合、高々１６個（０乃至１５）のアップリンク・リソースを予約する必要がある。
【００９１】
上述の諸実施形態では、所与のサブフレームｊと所与のサブセットΦｉ、０≦ｉ≦Ｎｓ−１に対して、リソースのインデックスｍはｎの増加関数であることに留意されたい。これは、ダウンリンク制御チャネルを幾つかのリソースで送信でき、暗黙的な関係では１つのインデックス、例えば、ダウンリンク制御チャネルが送信される第１のダウンリンク・リソースのインデックスのみ利用してもよいことを考えると、有利である。したがって、ｍがｎの増加関数であるとき、アップリンク・リソース節約を実現できる。例えば、表２のサブフレームｊ＝０において、Φ３＝｛１２、１３、１４、１５｝に対応するリソースｍは｛４８、５２、５６、６０｝である。したがって、ダウンリンク制御チャネルがΦ３の全てのリソースを占有する場合、割り当てられたアップリンク・リソースはｍ＝４８である。このリソースを｛６０、５６、５２、４８｝のように順序付けする場合には、ｍ＝６０、即ち、より多くのリソースが必要であることが示唆される。
【００９２】
本明細書で開示した方法は、ダウンリンク制御チャネルに関連付けられた第１のインデックスからの暗黙的なリソース予約には限定されないことに留意されたい。例えば、マルチユーザＭＩＭＯ（ＭＵ−ＭＩＭＯ）を使用する場合、即ち、幾つかの受信器／ＵＥ３２０が異なるアンテナ・ポートで同一のアップリンク・リソースでＥＰＤＣＣＨを送信する場合、リソース予約を、ダウンリンク制御チャネルに関連付けられた第１のリソース以外から行ってもよく、場合によってはアンテナ・ポートに依存してもよい。
【００９３】
本発明は、受信器３２０が複数の組のダウンリンク・リソースで構成されるときのアップリンク・リソース節約にも適用可能である。これを、集合Φｉ、０≦ｉ≦Ｎｓ−１が１組の隣接するリソース・インデックスを含まないということによって実現してもよい。例えば、関連するダウンリンク制御チャネルに対するリソースを有する２つの集合が構成され（例えば、２つのＥＰＤＣＣＨ集合）第１の集合がインデックスｎ＝０、１、．．．、Ｎ−１に対応し、第２の集合がインデックスｎ’＝０、１、．．．、Ｎ’−１に対応すると考える。表４と表５は、Ｎ＝Ｎ'＝１６、Ｎｓ＝４、Ｍ＝４、Ｋ＝４の場合のこの割当ての例を示す。
【００９４】
表４は、Ｎ＝１６、Ｎｓ＝４、Ｍ＝４、Ｋ＝４の場合の例であり、アップリンク・リソース・インデックスは、集合Φｉ、０≦ｉ≦Ｎｓ−１ごとにｎの昇順で、次いでｊの昇順で割り当てられる。
【００９５】
【表４】
2015536082.tif 000015
【００９６】
表５は、Ｎ’＝１６、Ｎｓ＝４、Ｍ＝４、Ｋ＝４の場合の例であり、アップリンク・リソース・インデックスは、集合Φｉ、０≦ｉ≦Ｎｓ−１ごとに、ｎ’の昇順で、次いでｊの昇順で割り当てられる。
【００９７】
【表５】
2015536082.tif 000016
【００９８】
これにより、送信器は、リソース０乃至３１のみを予約しつつ、ｎ＝０、１、２、３とｎ’＝０、１、２、３を利用することができる。したがって、アップリンク・リソースの数を減らしつつ第２の組のリソース（ｎ’＝０乃至１５）を利用することもできる。当該第２の組におけるリソースを別の組のＰＲＢペアに関連付けてもよいので、チャネル品質は第１の組と比べて大幅に異なりうる。したがって、無線ネットワーク・ノード３１０は、大量のアップリンク・リソースを必ずしも必要とすることなく、最も好ましい集合を用いることで利益を得ることができる。
【００９９】
上述の追加の受信器固有のオフセットの利用を、様々なＥＰＤＣＣＨ集合に関連付けられた別々のアップリンク・リソースに適用することができる。例えば、様々なオフセットを様々なＥＰＤＣＣＨ集合に正しく割り当てることによって、アップリンク・リソースの関連する集合を素にすることができる。
【０１００】
さらに、本発明の幾つかの諸実施形態は明示的なリソース識別子を含む。かかる識別子を、例えば、関連するダウンリンク制御チャネルを、専用ビットによりまたは他の未使用情報フィールドを再使用することによって、関連するダウンリンク制御チャネルで運搬してもよい。例えば、２ビットで４つのリソース識別子値を運搬してもよい。１実施形態は、リソース識別子を用いて値ｊを選択し、インデックスｎに対する関連リソースを割り当てるステップを含む。リソース識別子を用いると、使用されるリソースはｍ＝ｎ＋Ｎ・ｒである。１例として、表３を考え、リソース識別子がｒ＝０、１、２、３を想定しうると仮定する。表３の１つの結果は、無線ネットワーク・ノード３１０がダウンリンク制御チャネルを大きなインデックスｊを有するサブフレームで送信しなければならないとき、リソース節約が可能でないかもしれないということである。ダウンリンク制御チャネルをサブフレームｊ＝３およびリソースｎ＝１５で送信する場合、アップリンク・リソース６３を使用してもよく、全部で６４個のリソースを表３に従って予約する必要がある。しかし、ダウンリンク・リソースｎ＝１５がサブフレームｊ＝０で任意の受信器３２０により利用さなかった場合には、リソース識別子を使用して、ｒ＝０を送信することでアップリンク・リソースｍ＝１５を割り当ててもよい。ｍ＝１５が既に利用されている場合には、値ｒ＝１を送信してもよく、アップリンク・リソースｍ＝３１が使用される等である。
【０１０１】
当業者は代替的な表現
【０１０２】
【数１０】
2015536082.tif 000017
【０１０３】
を用いてもよい。Ｎｋはサブフレームｋの中のアップリンク制御チャネルリソースの数（例えば、サブフレームｋ内のＥＰＤＣＣＨ集合のＥＣＣＥの数）であり、ｒはリソース識別子である。リソース識別子値
【０１０４】
【数１１】
2015536082.tif 000018
【０１０５】
を用いることによって、Ｎ０＝Ｎ１＝Ｎ２＝Ｎのとき、（１）の和における項をキャンセルしてもよく、特定のサブフレームｊのアップリンク・リソースを選択することができる。したがって、この目的は（１）および（２）を用いることで、または、ｍ＝ｎ＋Ｎ・ｒおよびｒ＝｛０、１、２、３｝を用いることで、均等に実現される。
【０１０６】
１実施形態は、リソース識別子状態のサブセットを１組の負の値と関連付けるステップを含む。１例では、当該負の値の少なくとも１つは、サブフレームｋ内のアップリンク制御チャネルリソースの数であるＮｋの１つまたは幾つかの線形結合として得られる。即ち、リソース識別子値が
【０１０７】
【数１２】
2015536082.tif 000019
【０１０８】
であってもよい。αｋは実数である。例えば、２つの負の値を用いて、ｒ∈｛０、２、−Ｎ０−Ｎ１、−Ｎ０−Ｎ１−Ｎ２｝により、正の値「２」でアップリンク・リソースを調節することができる。これは、（例えば、ダウンリンク制御チャネルリソースが複数のユーザにより使用されるマルチユーザＭＩＭＯ（ＭＵ−ＭＩＭＯ）に起因して）所与のサブフレームで生じうる任意のリソース衝突を回避するのに有利である。または、上記２つの負の値の何れかを利用することで、サブフレームｊからのリソース選択を調節することができる。
【０１０９】
リソース識別子値をサブフレームｊごとに最適化してもよい。例えば、ｊ＝０の場合、（１）によればリソースが単にｍ＝ｎ＋ｒであるので、１組の大きな負の識別子値が必要でなくともよい。したがって、１組の値、例えば、ｒ（ｊ＝０）∈｛０、２、−２、−１｝がより効率的かもしれない。他方、サブフレームｊ＝３に対しては、（１）の和における項をキャンセルするために１組の大きな負の値、例えば、ｒ（ｊ＝３）∈｛０、２、−Ｎ０−Ｎ１、−Ｎ０−Ｎ１−Ｎ２｝をもたせるのが有利であろう。したがって、１実施形態は、番号ｊのサブフレームに依存するリソース識別子値ｒ（ｊ）を使用するステップを含む。
【０１１０】
さらに、先行技術のＬＴＥシステムでは、無線フレーム内のダウンリンク・サブフレームおよびアップリンク・サブフレームの数は構成可能である。特定の構成に関して、ダウンリンク・サブフレームの数Ｍは、アップリンク・サブフレームに関連付けられ、異なるアップリンク・サブフレームに対しては異なってもよい。本発明では、リソース識別子値をＭの値ごとに最適化してもよい。例えば、Ｍ＝２の場合、ｒ＝｛０、２、−２、−Ｎ０｝またはｒ＝｛０、２、−１、−Ｎ０｝を用いて、１組の小さな値および１つの大きな負の値（即ち、ｒ＝−Ｎ０）を使用する能力をもたせることで良好なリソース利用を提供してもよい。したがって、１実施形態は、所与のアップリンク・サブフレームに対して、関連するダウンリンク・サブフレームの数Ｍに依存するリソース識別子値ｒ（Ｍ）を使用するステップを含む。
【０１１１】
当業者は、サブフレームｊとダウンリンク・サブフレーム関連付けＭの両方に依存するリソース識別子値ｒ（ｊ、Ｍ）について、上述の諸実施形態の何れかを組み合わせてもよい。
【０１１２】
１実施形態では、２であるリソース識別子状態は１組の負の値により与えられる。１例では、当該負の値の少なくとも１つは、サブフレームｋ内のアップリンク制御チャネルリソースの数であるＮｋの１つまたは幾つかの線形結合として得られる。
【０１１３】
１実施形態では、１であるリソース識別子状態は負の値により与えられる。１例では、当該負の値は、サブフレームｋ内のアップリンク制御チャネルリソースの数である値Ｎｋの１つまたは幾つかの線形結合として得られる。
【０１１４】
以下では、サブフレームｋ内のアップリンク制御チャネルリソースの数である値Ｎｋの１つまたは幾つかの線形結合として得られる少なくとも１つの値を含む、当該実施形態に適用可能な負のリソース識別子値の特定の例を与える。
【０１１５】
１例では 
【０１１６】
【数１３】
2015536082.tif 000020
【０１１７】
である。ｊはＥＰＤＣＣＨが検出されたサブフレームである。１例ではｒ（ｊ）＝Ｎｊ−１、ｊ＞１である。ｊはＥＰＤＣＣＨが検出されたサブフレームである。
【０１１８】
１例では
【０１１９】
【数１４】
2015536082.tif 000021
【０１２０】
である。ｐ＞０はｊと独立な値である。１つの実現方法は、ｐ∈｛１、２、．．．、Ｍ｝である。Ｍは関連するアップリンク・サブフレームに対するＥＰＤＣＣＨに対して構成されたサブフレームの数である。
【０１２１】
図５は、無線通信システム３００における無線ネットワーク・ノード３１０で使用するための方法５００の実施形態を示す流れ図である。方法５００は、ダウンリンク制御チャネルに関連付けられたダウンリンク・データ・チャネルで送信されるデータにＨＡＲＱフィードバックを提供するためのアップリンク制御チャネルリソース４２０を割り当てることを目的とする。当該ダウンリンク制御チャネルは、利用可能な時間周波数リソースのサブセットで構成可能である少なくとも１組のダウンリンク制御チャネルリソース４１０を含む。
【０１２２】
さらに、無線ネットワーク・ノード３１０が第三世代パートナシップ・プロジェクト（３ＧＰＰ）のロング・ターム・エボリューション（ＬＴＥ）システムにおける発展型ＮｏｄｅＢを備えてもよく、受信器３２０がユーザ機器（ＵＥ）を備えてもよく、ダウンリンク制御チャネルが拡張物理ダウンリンク制御チャネル（ＥＰＤＣＣＨ）を備えてもよく、ダウンリンク・データ・チャネルが物理ダウンリンク共有チャネル（ＰＤＳＣＨ）を備えてもよく、１組のダウンリンク制御チャネルリソース４１０が、高度制御チャネル要素（ＥＣＣＥ）および／または拡張リソース要素グループ（ＥＲＥＧ）を含むＥＰＤＣＣＨ集合に対応してもよい。利用可能な時間周波数リソースのサブセットはＰＲＢペアを含む。
【０１２３】
方法５００を、時分割多重（ＴＤＤ）に基づくシステムで実施してもよい。
【０１２４】
幾つかの実施形態では、ダウンリンク制御チャネルリソース４１０をさらに受信器固有の参照信号の送信に利用してもよい。
【０１２５】
当該送信を適切に実施するために、方法５００が動作５０１乃至５０６のうち幾つかを備えてもよい。
【０１２６】
しかし、説明した動作５０１乃至５０６の何れか、一部、または全部を、列挙したのと幾分異なる順番で実施してもよく、または同時に実施してもよいことに留意されたい。さらに、幾つかの動作は任意的であり幾つかの代替的な実施形態にのみ従って実施してもよいことに留意されたい。方法５００が以下の動作を含んでもよい。
【０１２７】
動作５０１
１組のダウンリンク制御チャネルリソース４１０は、夫々のダウンリンク制御チャネルリソース４１０へのインデックスを含む少なくとも２つの参照サブセットΦ０、Φ１、Φ２、Φ３に分割される。異なる実施形態では、サブセットΦ０、Φ１、Φ２、Φ３の数が、２、３、．．．、∞であってもよい。
【０１２８】
幾つかの実施形態では、少なくとも２つの参照サブセットΦ０、Φ１、Φ２、Φ３が夫々のダウンリンク制御チャネルリソース４１０へのインデックスを備えてもよい。リソース４１０が、連続的なインデックス、均等なサイズのサブセットΦ０、Φ１、Φ２、Φ３の何れか、一部、または全部を含んでもよく、昇順のインデックス、および／または、降順のインデックスを含む。
【０１２９】
少なくとも１つのサブセットΦ０、Φ１、Φ２、Φ３が１つまたは複数のＰＲＢペアに対応するように、利用可能な時間周波数リソースを、参照サブセットΦ０、Φ１、Φ２、Φ３に対してマップされた物理リソース・ブロックＰＲＢペアに分割してもよい。
【０１３０】
動作５０２
一意なアップリンク制御チャネルリソース４２０へのインデックスを含む関連する参照サブセットΩ０、Ω１、Ω２、Ω３が、かかる参照サブセットΦ０、Φ１、Φ２、Φ３ごとに定義される。異なる実施形態では、当該関連する参照サブセットΩ０、Ω１、Ω２、Ω３が１、２、３、．．．、∞であってもよい。
【０１３１】
２つの参照サブセットΩ０、Ω１、Ω２、Ω３は各アップリンク制御チャネルリソース４２０へのインデックスを含む。リソース４２０は、連続的なインデックス、均等なサイズのサブセットΩ０、Ω１、Ω２、Ω３の何れか、一部、または全部を含んでもよく、昇順のインデックス、および／または、降順のインデックスを含んでもよい。
【０１３２】
動作５０３
参照サブセットΩ０、Ω１、Ω２、Ω３の各要素は、参照サブセットΦ０、Φ１、Φ２、Φ３におけるサブフレームと要素に関連付けられる。
【０１３３】
幾つかの実施形態によれば、ダウンリンク制御チャネルリソース４１０に対する各参照サブセットΦ０、Φ１、Φ２、Φ３において、当該要素関連付けを、最初にダウンリンク制御チャネルリソース４１０の数の昇順で実施し、次にサブフレームの数の昇順で実施してもよい。
【０１３４】
さらに、幾つかの実施形態によれば、当該要素関連付けは、
ｍ＝（Ｍ−ｊ−１）・Ｎｃ＋ｊ・ＮＣ＋１＋ｎ
とすることで実施される。ｍはアップリンク・リソースのインデックスであり、Ｍはダウンリンク・サブフレームの数であり、Ｎは時間周波数リソースの数であり、ｊはサブフレームのインデックス番号であり、ｎはダウンリンク・リソースのインデックスであり、
ＮＣ＝Ｋ・ｃであり、ｃは、Ｎｃ≦ｎ＜Ｎｃ＋１かつＫ＞０となるように選択された非負の整数である。
【０１３５】
しかし、幾つかの実施形態によれば、当該要素関連付けは、
ｍ＝ｎ＋Ｎ・ｊ
とすることで実施される。ｍはアップリンク・リソースのインデックスであり、ｎはダウンリンク・リソースのインデックスであり、Ｎは時間周波数リソースの数であり、ｊはサブフレームのインデックス番号である。
【０１３６】
幾つかの実施形態では、ダウンリンク制御チャネルリソース４１０の各サブセットΦ０、Φ１、Φ２、Φ３において、当該要素関連付けを、最初にサブフレームの数の昇順で実施し、次にダウンリンク制御チャネルリソース４１０の数の昇順で実施してもよい。
【０１３７】
幾つかの実施形態では、当該要素関連付けを、
ｍ＝Ｍ・ｎ＋ｊ
とすることで実施してもよい。ｍはアップリンク・リソースのインデックスであり、Ｍはダウンリンク・サブフレームの数であり、ｎはダウンリンク・リソースのインデックスであり、およびｊはサブフレームのインデックス番号である。
【０１３８】
別の幾つかの実施形態によれば、ダウンリンク・データ・チャネルで送信されたデータに対するＨＡＲＱフィードバックを提供するためのアップリンク制御チャネルリソース４２０は、利用可能な時間周波数リソースのサブセットで構成可能な２組のダウンリンク制御チャネルリソース４１０に関連付けられる。さらに、方法５００が、当該２組のダウンリンク制御チャネルリソース４１０の間で要素関連付けを交互に行うステップを含んでもよい。
【０１３９】
幾つかの実施形態では、ダウンリンク制御チャネルは、一意なアップリンク・チャネルリソース４２０の各集合Ω０、Ω１、Ω２、Ω３の各要素の、１組のダウンリンク制御チャネルリソース４１０におけるサブフレームおよび１つの要素との関連付けを示すためのリソース識別子を含む。
【０１４０】
動作５０４
当該動作を方法５００の幾つかの代替的な実施形態に含めてもよいが、必ずしも全ての実施形態には含まれない。
【０１４１】
当該参照サブセットΩ０、Ω１、Ω２、Ω３の要素を当該関連付け（５０３）に少なくとも従って配置してもよい。
【０１４２】
動作５０５
データが、ダウンリンク制御チャネルに関連付けられたダウンリンク・データ・チャネルで送信される。
【０１４３】
動作５０６
当該動作を方法５００の幾つかの代替的な実施形態に含めてもよいが、必ずしも全ての実施形態には含まれない。
【０１４４】
幾つかの実施形態では、送信された（５０５）データに関連するＨＡＲＱフィードバックを、受信器４２０から、ダウンリンク・データ・チャネルで送信された（５０５）データに関する１組のダウンリンク制御チャネルリソース４１０に関連付けられた（５０３）一意なアップリンク制御チャネルリソース４２０で、受信してもよい。
【０１４５】
図６は、無線通信システム３００における無線ネットワーク・ノード３１０を示すブロック図である。無線ネットワーク・ノード３１０は、ダウンリンク制御チャネルに関連付けられたダウンリンク・データ・チャネルで送信されるデータに対するＨＡＲＱフィードバックを提供するためのアップリンク制御チャネルリソース４２０を割り当てるように構成される。当該ダウンリンク制御チャネルは、利用可能な時間周波数リソースのサブセットで構成可能である少なくとも１組のダウンリンク制御チャネルリソース４１０を含む。
【０１４６】
さらに、無線ネットワーク・ノード３１０が第三世代パートナシップ・プロジェクト（３ＧＰＰ）のロング・ターム・エボリューション（ＬＴＥ）システムにおける発展型ＮｏｄｅＢを備えてもよく、受信器３２０がユーザ機器（ＵＥ）を備えてもよく、ダウンリンク制御チャネルが拡張物理ダウンリンク制御チャネル（ＥＰＤＣＣＨ）を備えてもよく、ダウンリンク・データ・チャネルが物理ダウンリンク共有チャネル（ＰＤＳＣＨ）を備えてもよい。１組のダウンリンク制御チャネルリソース４１０が、高度制御チャネル要素（ＥＣＣＥ）および／または拡張リソース要素グループ（ＥＲＥＧ）を含むＥＰＤＣＣＨ集合に対応してもよく、利用可能な時間周波数リソースのサブセットはＰＲＢペアを含む。
【０１４７】
幾つかの実施形態では、無線ネットワーク・ノード３１０をさらに、時分割多重（ＴＤＤ）に基づくシステムで実施してもよい。
【０１４８】
無線ネットワーク・ノード３１０は、情報エンティティを送信するための動作５０１乃至５０６の何れか、一部、または全部に従う上述の方法５００の様々な実施形態を実施するように構成される。
【０１４９】
明確さを高めるため、本明細書で説明した諸実施形態を理解するのに全く不可欠というわけではない無線ネットワーク・ノード３１０の内部の電子機器または他の構成要素は図６からは省略している。
【０１５０】
無線ネットワーク・ノード３１０は、１組のダウンリンク制御チャネルリソース４１０を、夫々のダウンリンク制御チャネルリソース４１０へのインデックスを含む少なくとも２つの参照サブセットΦ０、Φ１、Φ２、Φ３に分割するように構成された処理回路６２０を備える。さらに、処理回路６２０は、かかる参照サブセットΦ０、Φ１、Φ２、Φ３ごとに、一意なアップリンク制御チャネルリソース４２０へのインデックスを含む関連する参照サブセットΩ０、Ω１、Ω２、Ω３を定義するように構成される。さらに、無線ネットワーク・ノード３１０はさらに、当該参照サブセットΩ０、Ω１、Ω２、Ω３の各要素を夫々のダウンリンク制御チャネルリソース４１０へのインデックスを含む参照サブセットΦ０、Φ１、Φ２、Φ３におけるサブフレームおよび要素と関連付けるように構成される。
【０１５１】
処理回路６２０が、例えば、中央演算装置（ＣＰＵ）、処理ユニット、処理回路、プロセッサ、特定用途向け集積回路（ＡＳＩＣ）、マイクロプロセッサ、または命令を解釈し実行できる他の処理ロジックの１つまたは複数のインスタンスを含んでもよい。本明細書で用いた表現「処理回路」はしたがって、例えば上で列挙したものの何れか、一部、または全部のような複数の処理回路を備えた処理回路を表すことができる。
【０１５２】
処理回路６２０がさらに、呼処理制御、ユーザ・インタフェース制御等のようなデータ・バッファリングおよびデバイス制御機能を含む、データを入力し、出力し、処理するためのデータ処理機能を実施してもよい。
【０１５３】
処理回路６２０をさらに、ダウンリンク制御チャネルリソース４１０に対する各参照サブセットΦ０、Φ１、Φ２、Φ３において、最初にダウンリンク制御チャネルリソース４１０の数の昇順で、次にサブフレームの数の昇順で要素関連付けを実施するように構成してもよい。
【０１５４】
処理回路６２０をさらに、
ｍ＝（Ｍ−ｊ−１）・Ｎｃ＋ｊ・ＮＣ＋１＋ｎ
とすることで要素関連付けを実施するように構成してもよい。ｍはアップリンク・リソースのインデックスであり、Ｍはダウンリンク・サブフレームの数であり、Ｎは時間周波数リソースの数であり、ｊはサブフレームのインデックス番号であり、ｎはダウンリンク・リソースのインデックスであり、
ＮＣ＝Ｋ・ｃであり、ｃは、Ｎｃ≦ｎ＜Ｎｃ＋１かつＫ＞０となるように選択された非負の整数である。
【０１５５】
処理回路６２０をさらに、
ｍ＝ｎ＋Ｎ・ｊ
とすることで要素関連付けを実施するように構成してもよい。ｍはアップリンク・リソースのインデックスであり、ｎはダウンリンク・リソースのインデックスであり、Ｎは時間周波数リソースの数であり、ｊはサブフレームのインデックス番号である。
【０１５６】
処理回路６２０をさらに、
【０１５７】
【数１５】
2015536082.tif 000022
【０１５８】
とすることで要素関連付けを実施するように構成してもよい。
ｍはアップリンク・リソースのインデックスであり、ｎはダウンリンク・リソースのインデックスであり、ｊはサブフレームのインデックス番号であり、Ｎｋはサブフレームｋの中のアップリンク制御チャネルリソースの数である。
【０１５９】
処理回路６２０をさらに、ダウンリンク制御チャネルリソース４１０の各サブセットΦ０、Φ１、Φ２、Φ３において、最初にサブフレームの数の昇順で、次にダウンリンク制御チャネルリソース４１０の数の昇順で要素関連付けを実施するように構成してもよい。
【０１６０】
処理回路６２０をさらに、
ｍ＝Ｍ・ｎ＋ｊ
とすることで要素関連付けを実施するように構成してもよい。ｍはアップリンク・リソースのインデックスであり、Ｍはダウンリンク・サブフレームの数であり、ｎはダウンリンク・リソースのインデックスであり、ｊはサブフレームのインデックス番号である。
【０１６１】
ダウンリンク・データ・チャネルで送信されたデータに対するＨＡＲＱフィードバックを提供するためのアップリンク制御チャネルリソース４２０を、利用可能な時間周波数リソースのサブセットで構成可能な２組のダウンリンク制御チャネルリソース４１０に関連付けてもよい。処理回路６２０をさらに、当該２組のダウンリンク制御チャネルリソース４１０の間で要素関連付けを交互に行うように構成してもよい。
【０１６２】
幾つかの実施形態では、処理回路６２０をさらに、当該関連付けに少なくとも従って、参照サブセットΩ０、Ω１、Ω２、Ω３内の要素を配置するように構成してもよい。
【０１６３】
ダウンリンク制御チャネルリソース４１０をさらに、受信器固有の参照信号の送信に利用してもよい。
【０１６４】
幾つかの実施形態によれば、ダウンリンク制御チャネルが、一意なアップリンク・チャネルリソース４２０の各集合Ω０、Ω１、Ω２、Ω３の各要素の、１組のダウンリンク制御チャネルリソース４１０におけるサブフレームおよび１つの要素との関連付けを示すためのリソース識別子を含んでもよい。
【０１６５】
当該ダウンリンク制御チャネルがリソース識別子を備えてもよい。当該リソース識別子の少なくとも１つの値は、一意なアップリンク・チャネルリソース（４２０）の各組（Ω０、Ω１、Ω２、Ω３）における各要素の、１組のダウンリンク制御チャネルリソース（４１０）内のサブフレームと１つの要素との関連付け（５０３）を示すために使用される。
【０１６６】
幾つかの実施形態によれば、リソース識別子値は、所与のアップリンク・サブフレームに関連付けられたサブフレームのインデックス番号および／またはダウンリンク・サブフレームの数に依存することができる。
【０１６７】
幾つかの実施形態によれば、リソース識別子値ｒ（ｊ）は少なくとも１つのｊに対して
【０１６８】
【数１６】
2015536082.tif 000023
【０１６９】
であることができる。ｊは、リソース識別子を含むダウンリンク制御チャネルのサブフレームのインデックス番号であり、Ｎｋはサブフレームｋの中のアップリンク制御チャネルリソースの数である。
【０１７０】
幾つかの実施形態によれば、リソース識別子値ｒ（ｐ）が
【０１７１】
【数１７】
2015536082.tif 000024
【０１７２】
であってもよい。ｐ∈｛１、２、．．．、Ｍ｝であり、Ｍは、アップリンク・サブフレームに関連付けられたダウンリンク・サブフレームの数であり、Ｎｋはサブフレームｋの中のアップリンク制御チャネルリソースの数である。
【０１７３】
幾つかの実施形態によれば、ダウンリンク制御チャネルは、一意なアップリンク・チャネルリソース（４２０）の各組（Ω０、Ω１、Ω２、Ω３）における各要素の、１組のダウンリンク制御チャネルリソース（４１０）における１つの要素への関連付け（５０３）を示すためのリソース識別子を含む。当該リソース識別子値の少なくとも１つは負である。
【０１７４】
幾つかの実施形態によれば、当該少なくとも１つの負のリソース識別子値の少なくとも１つは、値Ｎｋの１つまたは幾つかの線形結合として得られる。Ｎｋはサブフレームｋの中のアップリンク制御チャネルリソースの数である。
【０１７５】
少なくとも２つの参照サブセットΦ０、Φ１、Φ２、Φ３が夫々のダウンリンク制御チャネルリソース４１０へのインデックスを備えてもよい。当該リソース４１０が、連続的なインデックス、均等なサイズのサブセットΦ０、Φ１、Φ２、Φ３の何れか、一部、または全部を含んでもよく、昇順のインデックスを含み、および／または、降順のインデックスを含む。
【０１７６】
２つの参照サブセットΩ０、Ω１、Ω２、Ω３が各アップリンク制御チャネルリソース４２０へのインデックスを備えてもよい。当該リソース４１０が、連続的なインデックス、均等なサイズのサブセットΩ０、Ω１、Ω２、Ω３の何れか、一部、または全部を含んでもよく、昇順のインデックスを含み、および／または、降順のインデックスを含む。
【０１７７】
幾つかの実施形態によれば、少なくとも１つのサブセットΦ０、Φ１、Φ２、Φ３が１つまたは複数のＰＲＢペアに対応できるように、利用可能な時間周波数リソースは、参照サブセットΦ０、Φ１、Φ２、Φ３に対してマップされた物理リソース・ブロックＰＲＢペアに分割される。
【０１７８】
処理回路６２０をさらに、送信データに関連するＨＡＲＱフィードバックを受信器４２０から、ダウンリンク・データ・チャネルで送信されたデータに関連する１組のダウンリンク制御チャネルリソース４１０に関連付けられた一意なアップリンク制御チャネルリソース４２０で受信するように構成してもよい。
【０１７９】
さらに、無線ネットワーク・ノード３１０は、ダウンリンク制御チャネルに関連付けられたダウンリンク・データ・チャネルでデータを送信するように構成された送信ユニット６３０を備える。
【０１８０】
さらに、幾つかの実施形態によれば、無線ネットワーク・ノード３１０が、無線信号を無線インタフェースで受信するように構成された受信ユニット６１０を備えてもよい。当該無線信号を、例えば受信器３２０、または、幾つかの実施形態に従う無線通信に構成された他の任意のエンティティから受信してもよい。
【０１８１】
さらに、幾つかの実施形態によれば、無線ネットワーク・ノード３１０が少なくとも１つのメモリ６２５を備えてもよい。メモリ６２５が、データまたはプログラム、即ち、命令のシーケンスを一時的または恒久的に格納するために利用される物理装置を備えてもよい。幾つかの実施形態によれば、メモリ６２５がシリコンベースのトランジスタを含む集積回路を備えてもよい。さらに、メモリ６２５が揮発性または不揮発性であってもよい。
【０１８２】
無線ネットワーク・ノード３１０で実施される動作５０１乃至５０６を、動作５０１乃至５０６の機能を実施するためのコンピュータ・プログラム・コードとともに、無線ネットワーク・ノード３１０内の１つまたは複数の処理回路６２０により実装してもよい。したがって、無線ネットワーク・ノード３１０内の動作５０１乃至５０６を実施するための命令を含むコンピュータ・プログラム製品は、当該コンピュータ・プログラム・コードの命令が処理回路６２０にロードされたとき、少なくとも１組のダウンリンク制御チャネルリソース４１０を含み、利用可能な時間周波数リソースのサブセットで構成可能である、ダウンリンク制御チャネルに関連付けられたダウンリンク・データ・チャネルで送信されるデータに対するＨＡＲＱフィードバックを提供するためのアップリンク制御チャネルリソース４２０の割当てを実施することができる。
【０１８３】
上述のコンピュータ・プログラム製品を、例えば、処理回路６２０にロードされたときに幾つかの実施形態に従う動作５０１乃至５０６の少なくとも一部を実施するためのコンピュータ・プログラム・コードを運搬するデータ・キャリアの形で提供してもよい。当該データ・キャリアが、例えば、ハードディスク、ＣＤ  ＲＯＭディスク、メモリ・スティック、光記憶装置、磁気記憶装置、または、機械読取可能データを非一時的に保持できるディスクもしくはテープのような他の任意の適切な媒体であってもよい。当該コンピュータ・プログラム製品をさらに、サーバ上のコンピュータ・プログラム・コードとして提供し、例えば、インターネット接続またはイントラネット接続を介して無線ネットワーク・ノード３１０にリモートにダウンロードしてもよい。
【０１８４】
図７は、無線通信システム３００の受信器３２０で使用するための方法７００の諸実施形態を示す流れ図である。方法７００は、少なくとも１組のダウンリンク制御チャネルリソース４１０を含み、利用可能な時間周波数リソースのサブセットで構成可能である、ダウンリンク制御チャネルに関連付けられたダウンリンク・データ・チャネルで送信されるデータに対するＨＡＲＱフィードバックを提供することを目的とする。
【０１８５】
幾つかの実施形態によれば、無線通信システム３００が第三世代パートナシップ・プロジェクト（３ＧＰＰ）におけるロング・ターム・エボリューション（ＬＴＥ）に基づいてもよい。無線ネットワーク・ノード３１０が例えば発展型ＮｏｄｅＢを含んでもよい。受信器３２０がユーザ機器（ＵＥ）を含んでもよい。
【０１８６】
当該情報エンティティの受信を適切に実施するために、方法７００が動作７０１乃至７０４のうち幾つかを含んでもよい。
【０１８７】
しかし、説明した動作７０１乃至７０４の何れか、一部、または全部を、列挙したのと幾分異なる順番で実施してもよく、または同時に実施してもよいに留意されたい。方法７００が以下の動作を含んでもよい。
【０１８８】
動作７０１
ダウンリンク制御チャネルに関連付けられたダウンリンク・データ・チャネル上のサブフレームのデータと、一意なアップリンク制御チャネルリソース４２０に対する関連する参照サブセットΩ０、Ω１、Ω２、Ω３とを無線ネットワーク・ノード３１０から受信する。
【０１８９】
動作７０２
受信サブフレームごとに、データが正しく受信されたかどうかを判定する。
【０１９０】
動作７０３
受信した（７０１）参照サブセットΩ０、Ω１、Ω２、Ω３に従って、肯定応答（ＡＣＫ）を含むＨＡＲＱフィードバックが、正しく受信されたデータ・サブフレームごとにエンコードされ、否定応答（ＮＡＣＫ）が、アップリンク制御チャネルリソース４２０で正しく受信されなかったデータ・サブフレームごとにエンコードされる。
【０１９１】
動作７０４
無線ネットワーク・ノード３１０により受信される、エンコードされた（７０３）ＨＡＲＱフィードバックを送信する。
【０１９２】
図８は、無線通信システム３００における受信器３２０を示すブロック図である。受信器３２０は、少なくとも１組のダウンリンク制御チャネルリソース４１０を含み、利用可能な時間周波数リソースのサブセットで構成可能である、ダウンリンク制御チャネルに関連付けられたダウンリンク・データ・チャネルで送信されるデータに対するＨＡＲＱフィードバックを提供するように構成される。
【０１９３】
幾つかの実施形態によれば、無線通信システム３００が第三世代パートナシップ・プロジェクト（３ＧＰＰ）におけるロング・ターム・エボリューション（ＬＴＥ）に基づいてもよい。無線ネットワーク・ノード３１０が例えば発展型ＮｏｄｅＢを含んでもよい。幾つかの実施形態では、受信器３２０がユーザ機器（ＵＥ）を含んでもよい。
【０１９４】
受信器３２０は、ＨＡＲＱフィードバックを無線ネットワーク・ノード３１０に提供するための動作７０１乃至７０４の何れか、一部、または全部を実施するように構成される
【０１９５】
明確さを高めるため、本明細書で説明した諸実施形態を理解するのに全く不可欠というわけではない受信器３２０の内部の電子機器または他の構成要素は図８からは省略している。
【０１９６】
受信器３２０は、ダウンリンク制御チャネルに関連付けられたダウンリンク・データ・チャネル上のサブフレームのデータと、一意なアップリンク制御チャネルリソース４２０に対する関連する参照サブセットΩ０、Ω１、Ω２、Ω３を無線ネットワーク・ノード３１０から受信するように構成された受信ユニット８１０を備える。
【０１９７】
受信器３２０は、受信サブフレームごとに、データが正しく受信されたかどうかを判定し、受信した参照サブセットΩ０、Ω１、Ω２、Ω３に従って、アップリンク制御チャネルリソース上の正しく受信されたデータ・サブフレームごとの肯定応答（ＡＣＫ）、および正しく受信されなかったデータ・サブフレームごとの否定応答（ＮＡＣＫ）を含むＨＡＲＱフィードバック４２０をエンコードするように構成された処理回路８２０を備える。
【０１９８】
処理回路８２０が、例えば、中央演算装置（ＣＰＵ）、処理ユニット、処理回路、プロセッサ、特定用途向け集積回路（ＡＳＩＣ）、マイクロプロセッサ、または命令を解釈し実行できる他の処理ロジックの１つまたは複数のインスタンスを含んでもよい。本明細書で用いた表現「処理回路」はしたがって、例えば上で列挙したものの何れか、一部、または全部のような複数の処理回路を備えた処理回路を表すことができる。
【０１９９】
処理回路８２０がさらに、呼処理制御、ユーザ・インタフェース制御等のようなデータ・バッファリングおよびデバイス制御機能を含む、データを入力し、出力し、処理するためのデータ処理機能を実施してもよい。
【０２００】
さらに、受信器３２０は、当該無線ネットワーク・ノードにより受信されるエンコードされたＨＡＲＱフィードバック３１０を送信するように構成された送信ユニット８３０を備える。
【０２０１】
さらに、幾つかの実施形態によれば、受信器３２０が少なくとも１つのメモリ８２５を備えてもよい。メモリ８２５が、データまたはプログラム、即ち、命令のシーケンスを一時的または恒久的に格納するために利用される物理装置を備えてもよい。幾つかの実施形態によれば、メモリ８２５がシリコンベースのトランジスタを含む集積回路を備えてもよい。さらに、メモリ８２５が揮発性または不揮発性であってもよい。
【０２０２】
受信器３２０で実施される動作７０１乃至７０４を、動作７０１乃至７０４の機能を実施するためのコンピュータ・プログラム・コードとともに、受信器３２０内の１つまたは複数の処理回路８２０により実装してもよい。したがって、受信器３２０内の動作７０１乃至７０４を実施するための命令を含むコンピュータ・プログラム製品は、当該コンピュータ・プログラム・コードの命令が処理回路８２０にロードされたとき、少なくとも１組のダウンリンク制御チャネルリソース４１０を含み、利用可能な時間周波数リソースのサブセットで構成可能である、ダウンリンク制御チャネルに関連付けられたダウンリンク・データ・チャネルで送信されるデータに対するＨＡＲＱフィードバックを提供することができる。
【０２０３】
上述のコンピュータ・プログラム製品を、例えば、処理回路８２０にロードされたときに幾つかの実施形態に従う動作７０１乃至７０４の少なくとも一部を実施するためのコンピュータ・プログラム・コードを運搬するデータ・キャリアの形で提供してもよい。当該データ・キャリアが、例えば、ハードディスク、ＣＤ  ＲＯＭディスク、メモリ・スティック、光記憶装置、磁気記憶装置、または、機械読取可能データを非一時的に保持できるディスクもしくはテープのような他の任意の適切な媒体であってもよい。当該コンピュータ・プログラム製品を、サーバ上のコンピュータ・プログラム・コードとして提供し、例えば、インターネット接続またはイントラネット接続を介して受信器３２０にリモートにダウンロードしてもよい。
【０２０４】
添付図面で示した本発明の詳細な説明で用いた用語は、説明した方法５００、７００、無線ネットワーク・ノード３１０および受信器３２０の限定を意図したものではなく、添付の特許請求の範囲により限定される。
【０２０５】
本明細書で使用する際、「および／または」という用語は１つまたは複数の関連する列挙項目の何れかまたは全ての組合せを含む。さらに、「１つの」および「当該」は「少なくとも１つの」と解釈すべきであり、したがって、特に断らない限り複数も含む。さらに、「含む」、「備える」、および／または「含まれる」という用語は、説明した特徴、動作、整数、ステップ、操作、要素、および／または構成要素の存在を示すが、１つまたは複数の他の特徴、動作、整数、ステップ、操作、要素、構成要素、および／またはそれらのグループの存在または追加を排除するものではないことは理解される。
【符号の説明】
【０２０６】
３１０  無線ネットワーク・ノード
３２０  受信器
６１０  受信ユニット
６２０  処理回路
６２５  メモリ
６３０  送信ユニット
３１０  無線ネットワーク・ノード
３２０  受信器
８１０  受信ユニット
８２０  処理回路
８２５  メモリ
８３０  送信ユニット
【図１Ａ】
2015536082.tif 000028
【図１Ｂ】
2015536082.tif 000029
【図２】
2015536082.tif 000030
【図３】
2015536082.tif 000031
【図４Ａ】
2015536082.tif 000032
【図４Ｂ】
2015536082.tif 000033
【図５】
2015536082.tif 000034
【図６】
2015536082.tif 000035
【図７】
2015536082.tif 000036
【図８】
2015536082.tif 000037
【手続補正書】
【提出日】平成27年5月12日(2015.5.12)
【手続補正１】
【補正対象書類名】特許請求の範囲
【補正対象項目名】全文
【補正方法】変更
【補正の内容】
【特許請求の範囲】
【請求項１】
少なくとも１組のダウンリンク制御チャネルリソースを含み、利用可能な時間周波数リソースのサブセットで構成可能である、ダウンリンク制御チャネルに関連付けられたダウンリンク・データ・チャネルで送信されるデータに対するＨＡＲＱフィードバックを提供するためのアップリンク制御チャネルリソースを割り当てるための、無線ネットワーク・ノードにおける方法であって、
前記１組のダウンリンク制御チャネルリソースを、夫々の前記ダウンリンク制御チャネルリソースへのインデックスを含む少なくとも２つの参照サブセットへと分割するステップと、
前記参照サブセットごとに、一意なアップリンク制御チャネルリソースへのインデックスを含む関連付けられた参照サブセットを定義するステップと、
前記参照サブセットの各要素を前記参照サブセット内のサブフレームおよび要素と関連付けるステップと、
前記ダウンリンク制御チャネルに関連付けられた前記ダウンリンク・データ・チャネルでデータを送信するステップと、
を含む、方法。
【請求項２】
前記要素の関連付けは、ダウンリンク制御チャネルリソースに対する夫々の参照サブセットにおいて、最初にダウンリンク制御チャネルリソースの数の昇順で実施され、次に、前記サブフレームの数の昇順で実施される、請求項１に記載の方法。
【請求項３】
前記要素の関連付けは、
ｍ＝（Ｍ−ｊ−１）・Ｎｃ＋ｊ・ＮＣ＋１＋ｎ
とすることで実施され、
ｍはアップリンク・リソースのインデックスであり、
Ｍはダウンリンク・サブフレームの数であり、
Ｎは時間周波数リソースの数であり、
ｊはサブフレームのインデックス番号であり、
ｎはダウンリンク・リソースのインデックスであり、
ＮＣ＝Ｋ・ｃ
であり、ｃは、Ｎｃ≦ｎ＜Ｎｃ＋１かつＫ＞０となるように選択された非負の整数である、
請求項１または２に記載の方法。
【請求項４】
前記要素の関連付けは、
ｍ＝ｎ＋Ｎ・ｊ
とすることで実施され、
ｍはアップリンク・リソースのインデックスであり、
ｎはダウンリンク・リソースのインデックスであり、
Ｎは時間周波数リソースの数であり、
ｊはサブフレームのインデックス番号である、
請求項１または２に記載の方法。
【請求項５】
前記要素の関連付けは、
【数１】
2015536082.tif 000038
とすることで実施され、
ｍはアップリンク・リソースのインデックスであり、
ｎはダウンリンク・リソースのインデックスであり、
ｊはサブフレームのインデックス番号であり、
Ｎｋはサブフレームｋの中のアップリンク制御チャネルリソースの数である、
請求項１または２に記載の方法。
【請求項６】
前記要素の関連付けは、ダウンリンク制御チャネルリソースの夫々のサブセットにおいて、最初に前記サブフレームの数の昇順で実施され、次にダウンリンク制御チャネルリソースの数の昇順で実施される、請求項１に記載の方法。
【請求項７】
前記要素の関連付けは、
ｍ＝Ｍ・ｎ＋ｊ
とすることで実施され、
ｍはアップリンク・リソースのインデックスであり、
Ｍはダウンリンク・サブフレームの数であり、
ｎはダウンリンク・リソースのインデックスであり、
ｊはサブフレームのインデックス番号である、
請求項１または６に記載の方法。
【請求項８】
ダウンリンク・データ・チャネルで送信されたデータに対するＨＡＲＱフィードバックを提供するための前記アップリンク制御チャネルリソースは、利用可能な時間周波数リソースのサブセットで構成可能な２組のダウンリンク制御チャネルリソースに関連付けられ、当該方法は前記要素の関連付けを前記２組のダウンリンク制御チャネルリソースの間で交互に行うステップをさらに含む、請求項１乃至７の何れか１項に記載の方法。
【請求項９】
前記参照サブセットの要素を前記関連付けに少なくとも従って配置するステップをさらに含む、請求項１乃至８の何れか１項に記載の方法。
【請求項１０】
前記ダウンリンク制御チャネルリソースはさらに、受信器固有の参照信号の送信に利用される、請求項１乃至９の何れか１項に記載の方法。
【請求項１１】
前記ダウンリンク制御チャネルは、一意なアップリンク・チャネルリソースの各組における各要素の、前記１組のダウンリンク制御チャネルリソース内のサブフレームおよび１つの要素との前記関連付けを示すためのリソース識別子を含む、請求項１乃至９の何れか１項に記載の方法。
【請求項１２】
前記ダウンリンク制御チャネルはリソース識別子を含み、前記リソース識別子の少なくとも１つの値は、一意なアップリンク・チャネルリソースの各組における各要素の、前記１組のダウンリンク制御チャネルリソース内のサブフレームおよび１つの要素との前記関連付けを示すために使用される、請求項１乃至９の何れか１項に記載の方法。
【請求項１３】
所与のアップリンク・サブフレームに関連付けられた、前記サブフレームのインデックス番号ｊおよび／またはダウンリンク・サブフレームの数Ｍに依存するリソース識別子値を使用するステップを含む、請求項１２に記載の方法。
【請求項１４】
少なくとも１つのリソース識別子値ｒ（ｊ）は、少なくとも１つのｊに対して、
【数２】
2015536082.tif 000039
であり、
ｊは、前記リソース識別子を含む前記ダウンリンク制御チャネルの前記サブフレームのインデックス番号であり、Ｎｋはサブフレームｋの中のアップリンク制御チャネルリソースの数である、
請求項１３に記載の方法。
【請求項１５】
少なくとも１つのリソース識別子値ｒ（ｐ）は、
【数３】
2015536082.tif 000040
であり、
ｐ∈｛１、２、．．．、Ｍ｝であり、Ｍは、前記アップリンク・サブフレームに関連付けられたダウンリンク・サブフレームの数であり、Ｎｋはサブフレームｋの中のアップリンク制御チャネルリソースの数である、
請求項１３に記載の方法。
【請求項１６】
前記ダウンリンク制御チャネルは、一意なアップリンク・チャネルリソースの各組における各要素の、前記１組のダウンリンク制御チャネルリソースの中の１つの要素との前記関連付けを示すためのリソース識別子を含み、前記リソース識別子の値の少なくとも１つは負である、請求項１に記載の方法。
【請求項１７】
前記少なくとも１つの負のリソース識別子値の少なくとも１つは、前記値Ｎｋの１つまたは幾つかの線形結合として得られ、Ｎｋはサブフレームｋの中のアップリンク制御チャネルリソースの数である、請求項１６に記載の方法。
【請求項１８】
前記夫々のダウンリンク制御チャネルリソースへのインデックスを含む少なくとも２つの参照サブセットは、
連続的なインデックス、
均等なサイズのサブセット、
のうち何れか、幾つか、または全部を含み、
昇順のインデックスを含み、および／または
降順のインデックスを含む、
請求項１に記載の方法。
【請求項１９】
少なくとも１つのサブセットが１つまたは複数のＰＲＢペアに対応するように、前記利用可能な時間周波数リソースは、前記参照サブセットに対してマップされた物理リソース・ブロックＰＲＢペアに分割される、請求項１乃至１８の何れか１項に記載の方法。
【請求項２０】
前記ダウンリンク・データ・チャネルで送信された前記データに関する前記１組のダウンリンク制御チャネルリソースに関連付けられた前記一意なアップリンク制御チャネルリソースで前記送信されたデータに関連するＨＡＲＱフィードバックを受信器から受信するステップをさらに含む、請求項１乃至１９の何れか１項に記載の方法。
【請求項２１】
少なくとも１組のダウンリンク制御チャネルリソースを含み、利用可能な時間周波数リソースのサブセットで構成可能である、ダウンリンク制御チャネルに関連付けられたダウンリンク・データ・チャネルで送信されるデータに対するＨＡＲＱフィードバックを提供するためのアップリンク制御チャネルリソースを割り当てるための無線ネットワーク・ノードであって、
前記１組のダウンリンク制御チャネルリソースを、夫々の前記ダウンリンク制御チャネルリソースへのインデックスを含む少なくとも２つの参照サブセットに分割するように構成され、前記参照サブセットごとに、一意なアップリンク制御チャネルリソースへのインデックスを含む関連付けられた参照サブセットを定義するように構成され、さらに、前記参照サブセットの各要素を、前記夫々のダウンリンク制御チャネルリソースへのインデックスを含む前記参照サブセット内のサブフレームと要素に関連付けるように構成された処理回路と、
前記ダウンリンク制御チャネルに関連付けられた前記ダウンリンク・データ・チャネルでデータを送信するように構成された送信ユニットと、
を備える、無線ネットワーク・ノード。
【請求項２２】
前記処理回路はさらに、ダウンリンク制御チャネルリソースに対する夫々の参照サブセットにおいて、最初にダウンリンク制御チャネルリソースの数の昇順で、次に、前記サブフレームの数の昇順で前記要素の関連付けを実施するように構成される、請求項２１に記載の無線ネットワーク・ノード。
【請求項２３】
前記処理回路はさらに、ダウンリンク制御チャネルリソースの夫々のサブセットにおいて、前記要素の関連付けを、最初に前記サブフレームの数の昇順で実施し、次に、ダウンリンク制御チャネルリソースの数の昇順で実施するように構成される、請求項２１に記載の無線ネットワーク・ノード。
【請求項２４】
ダウンリンク・データ・チャネルで送信されるデータに対するＨＡＲＱフィードバックを提供するための前記アップリンク制御チャネルリソースは、利用可能な時間周波数リソースのサブセットで構成可能な２組のダウンリンク制御チャネルリソースに関連付けられ、前記処理回路はさらに、前記２組のダウンリンク制御チャネルリソースの間で前記要素の関連付けを交互に行うように構成される、請求項２１に記載の無線ネットワーク・ノード。
【請求項２５】
前記無線ネットワーク・ノードはロング・ターム・エボリューションＬＴＥシステムにおける発展型ＮｏｄｅＢを含み、、前記受信器はユーザ機器ＵＥを含み、前記ダウンリンク制御チャネルは発展型物理ダウンリンク制御チャネルＥＰＤＣＣＨを含み、前記ダウンリンク・データ・チャネルは物理ダウンリンク共有チャネルＰＤＳＣＨを含み、前記１組のダウンリンク制御チャネルリソースは、発展型制御チャネル要素ＥＣＣＥおよび／または発展型リソース要素グループＥＲＥＧを含むＥＰＤＣＣＨ集合に対応し、利用可能な時間周波数リソースの前記サブセットはＰＲＢペアを含む、請求項２１に記載の無線ネットワーク・ノード。
【請求項２６】
少なくとも１組のダウンリンク制御チャネルリソースを含み、利用可能な時間周波数リソースのサブセットで構成可能である、ダウンリンク制御チャネルに関連付けられたダウンリンク・データ・チャネルで送信されるデータに対するＨＡＲＱフィードバックを提供するための受信器内の方法であって、
前記ダウンリンク制御チャネルに関連付けられた前記ダウンリンク・データ・チャネルのサブフレーム上のデータ、および、一意なアップリンク制御チャネルリソースに対する関連付けられた参照サブセットを、無線ネットワーク・ノードから受信するステップと、
受信したサブフレームごとに、前記データが正しく受信されたかどうかを判定するステップと、
前記受信した参照サブセットに従って、正しく受信されたデータ・サブフレームごとの肯定応答ＡＣＫと、前記アップリンク制御チャネルリソースで不正確に受信されたデータのサブフレームごとの否定応答ＮＡＣＫを含むＨＡＲＱフィードバックをエンコードするステップと、
前記無線ネットワーク・ノードにより受信される前記エンコードされたＨＡＲＱフィードバックを送信するステップと、
を含む、方法。
【請求項２７】
少なくとも１組のダウンリンク制御チャネルリソースを含み、利用可能な時間周波数リソースのサブセットで構成可能である、ダウンリンク制御チャネルに関連付けられたダウンリンク・データ・チャネルで送信されるデータに対するＨＡＲＱフィードバックを提供するように構成された受信器であって、
前記ダウンリンク制御チャネルに関連付けられた前記ダウンリンク・データ・チャネルのサブフレーム上のデータ、および、一意なアップリンク制御チャネルリソースに対する関連付けられた参照サブセットを、無線ネットワーク・ノードから受信するように構成された受信ユニットと、
受信したサブフレームごとに、前記データが正しく受信されたかどうかを判定するように構成され、前記受信された参照サブセットに従って、正しく受信されたデータ・サブフレームごとの肯定応答ＡＣＫと、不正確に受信された前記アップリンク制御チャネルリソース上のデータ・サブフレームごとの否定応答ＮＡＣＫとを含むＨＡＲＱフィードバックをエンコードするように構成された、処理回路と、
前記無線ネットワーク・ノードにより受信される前記エンコードされたＨＡＲＱフィードバックを送信するように構成された送信ユニットと、
を備える、受信器。
【国際調査報告】
2015536082.tif 000041
2015536082.tif 000042
2015536082.tif 000043